(57)【要約】患者側外科医インターフェースは、低侵襲遠隔操作外科手術システムを使用する際、高度な能力を提供する。患者側外科医インターフェースは、外科手術の滅菌外科手術野内に構成要素を有する。構成要素によって、外科医は、滅菌外科手術野内から遠隔操作スレーブ外科手術器具を制御することが可能となる。患者側外科医インターフェースによって、外科医は、外科手術を受ける患者に隣接する滅菌外科手術野内に居ることが可能となる。滅菌外科手術野内から低侵襲スレーブ外科手術器具を制御することによって、外科医による直接的視覚化と組み合わせて、低侵襲外科手術が可能となる。患者に近接することによって、外科医は、腹腔鏡下器具等の手動制御器具の制御と並行して、遠隔操作スレーブ外科手術器具を制御することが可能となる。
2013510671.tif 000002
【特許請求の範囲】
【請求項１】
患者側外科医インターフェースであって、
ａ）手術室内に搭載された表示デバイスと、
ｂ）マスタインターフェースであって、
該手術室内の滅菌外科手術野内に位置付けられた機械的に固定されていないマスタツールグリップと、
該機械的に固定されていないマスタツールグリップから分離され隔てられたハンド追跡送信機と、
を含み、該機械的に固定されていないマスタツールグリップは、該ハンド追跡送信機と共同して、感知された位置および配向情報を、該機械的に固定されていないマスタツールグリップを操作する人物と関連付けられた基準フレームで提供する、マスタインターフェースと
を備えている、患者側外科医インターフェースと、
該滅菌外科手術野内に位置付けられた外科手術エンドエフェクタを備えている遠隔操作スレーブ外科手術器具と、
該機械的に固定されていないマスタツールグリップと、該ハンド追跡送信機と、該表示デバイスと、該遠隔操作スレーブ外科手術器具とに連結された制御システムと
を備え、
該制御システムは、該基準フレームにおける該感知された位置および配向情報を受信し、該感知された位置および配向情報を使用して、制御コマンドを生成し、該制御コマンドを送信し、該表示デバイス上に表示される画像と関連付けられた基準フレームに対して、該外科手術エンドエフェクタを移動させる、
低侵襲外科手術システム。
【請求項２】
制御ハンドルを含む、手動操作外科手術デバイスをさらに備え、該制御ハンドルは、前記機械的に固定されていないマスタツールグリップを動作する人物が、該手動操作外科手術デバイスの制御ハンドルもまた操作するように、前記滅菌外科手術野内に位置付けられる、請求項１に記載の低侵襲外科手術システム。
【請求項３】
前記患者側外科医インターフェースは、立体的画像ビューアをさらに備え、該立体的画像ビューアを通して前記表示デバイス上で画像を視認する際に、立体的画像が見られる、請求項１に記載の低侵襲外科手術システム。
【請求項４】
前記患者側外科医インターフェースは、表示デバイスモーションインターロックをさらに備え、該表示デバイスモーションインターロックは、前記マスタツールグリップの運動と前記スレーブ外科手術器具との間の追従を示す前記制御システムからの信号を受信すると、前記表示デバイスの移動を防止する、請求項１に記載の低侵襲外科手術システム。
【請求項５】
前記患者側外科医インターフェースは、表示デバイスベースのプレゼンスインターロックをさらに備え、該表示デバイスベースのプレゼンスインターロックは、外科医の存在または不在を示す信号を前記制御システムに提供する、請求項１に記載の低侵襲外科手術システム。
【請求項６】
前記患者側外科医インターフェースは、前記表示デバイスを搭載した可動ブームをさらに備え、該可動ブームは、前記手術室内の手術台の近くでの該表示デバイスの位置決めを可能にする、請求項１に記載の低侵襲外科手術システム。
【請求項７】
前記患者側外科医インターフェースは、可動安定化プラットホームをさらに備え、該安定化プラットホームは、外科医が前記マスタツールグリップを把持する間、該外科医の前腕を支持し、該安定化プラットホームは、前記表示デバイスのいかなる移動からも独立して移動されることができる、請求項１に記載の低侵襲外科手術システム。
【請求項８】
前記可動安定化プラットホームは、手術台の位置に対して該可動安定化プラットホームを移動させるために使用される複数の車輪を含む、請求項７に記載の低侵襲外科手術システム。
【請求項９】
前記可動安定化プラットホームは、手術台に搭載されている、請求項７に記載の低侵襲外科手術システム。
【請求項１０】
前記可動安定化プラットホームは、ブームに搭載されている、請求項７に記載の低侵襲外科手術システム。
【請求項１１】
前記患者側外科医インターフェースは、前記制御システムに連結された少なくとも１つのペダルを有するフットトレイをさらに備えている、請求項１に記載の低侵襲外科手術システム。
【請求項１２】
前記機械的に固定されていないマスタツールグリップは、前記制御システムに連結された少なくとも１つのスイッチをさらに備えている、請求項１に記載の低侵襲外科手術システム。
【請求項１３】
前記少なくとも１つのスイッチは、外科医の存在または不在を示す信号を前記制御システムに提供する、請求項１２に記載の低侵襲外科手術システム。
【請求項１４】
前記少なくとも１つのスイッチは前記制御システムにマスタクラッチ信号を提供する、請求項１２に記載の低侵襲外科手術システム。
【請求項１５】
前記少なくとも１つのスイッチは、前記制御システムにカメラ制御信号を提供する、請求項１２に記載の低侵襲外科手術システム。
【請求項１６】
前記機械的に固定されていないマスタツールグリップは、グリップセンサをさらに備え、該グリップセンサは、前記制御システムにグリップ閉合情報を提供する、請求項１に記載の低侵襲外科手術システム。
【請求項１７】
前記制御システムは、ラチェッティングシステムをさらに備えている、請求項１に記載の低侵襲外科手術システム。
【請求項１８】
前記制御システムに連結された外科医のコンソールをさらに備え、該外科医のコンソールは、立体的表示デバイスおよび動力付きマスタインターフェースを含む、請求項１に記載の低侵襲外科手術システム。
【請求項１９】
前記制御システムは、プロキシ視覚モジュールをさらに備え、該プロキシ視覚モジュールは、前記外科医のコンソールの立体的表示デバイスおよび前記患者側外科医インターフェースの表示デバイスに連結され、プロキシ視覚を提供し、前記プロキシ視覚は、前記機械的に固定されていないマスタツールグリップおよび該外科医のコンソールのマスタツールマニピュレータのうちの１つを移動させることによって移動される、請求項１８に記載の低侵襲外科手術システム。
【請求項２０】
滅菌外科手術野内に位置する機械的に固定されていないマスタツールグリップを移動させることによって、感知された位置および配向情報を生成することであって、該感知された位置および配向情報は、該滅菌外科手術野内で作業し、該機械的に固定されていないマスタツールグリップを操作する人物に関連付けられた基準フレームにおけるものである、ことと、
該感知された位置および配向情報に基づいて、低侵襲遠隔操作スレーブ外科手術器具のエンドエフェクタの移動を制御することであって、該エンドエフェクタは、該滅菌外科手術野内にある、ことと
を含む、方法。
【請求項２１】
前記手動操作外科手術器具の制御ハンドルを使用する人物によって、手動操作外科手術器具を制御することをさらに含み、該制御ハンドルは、前記滅菌外科手術野内にある、請求項２０に記載の方法。
【請求項２２】
（ａ）表示デバイスと、機械的に固定されていないマスタツールグリップと、ハンド追跡送信機とをさらに備える患者側外科医インターフェースと、（ｂ）遠隔操作スレーブ外科手術器具と、（ｃ）制御システムとを含む低侵襲外科手術システムにおいて、
該機械的に固定されていないマスタツールグリップが該ハンド追跡送信機からの視野内で移動され、かつ滅菌外科手術野内で移動された場合に、該機械的に固定されていないマスタツールグリップを操作する人物と関連付けられた基準フレームにおいて、該機械的に固定されていないマスタツールグリップの位置および配向を感知することと、
該制御システムによって、該基準フレームにおける感知された位置および配向を受信することと、
該制御システムによって、該感知された位置および配向を使用して、該表示デバイス上に表示される画像と関連付けられた基準フレームに対して、制御コマンドを生成することと、
該制御システムによって、該制御コマンドを該遠隔操作スレーブ外科手術器具に送信することと
を含む、方法。
【請求項２３】
前記制御システムが、前記機械的に固定されていないマスタツールグリップの運動と前記遠隔操作スレーブ外科手術器具との間の追従モードに入ると、前記表示デバイスの移動を防止することをさらに含む、請求項２２に記載の方法。
【請求項２４】
前記制御システムによって、外科医の存在または不在を示すプレゼンススイッチから、信号を受信することをさらに含む、請求項２２に記載の方法。
【請求項２５】
前記プレゼンススイッチは、前記機械的に固定されていないマスタツールグリップ上に含まれている、請求項２４に記載の方法。
【発明の詳細な説明】
【技術分野】
【０００１】
本発明の態様は、低侵襲遠隔操作外科手術システムに関し、より具体的には、低侵襲遠隔操作外科手術システムのための患者側外科医インターフェースに関する。
【背景技術】
【０００２】
Ｉｎｔｕｉｔｉｖｅ  Ｓｕｒｇｉｃａｌ，  Ｉｎｃ．（Ｓｕｎｎｙｖａｌｅ、Ｃａｌｉｆｏｒｎｉａ）製ｄａ  Ｖｉｎｃｉ（登録商標）  Ｓｕｒｇｉｃａｌ  Ｓｙｓｔｅｍは、身体への外傷の低減、早期回復、短入院期間等、多くの効果を患者にもたらす、低侵襲遠隔操作ロボット外科手術システムである。ｄａ  Ｖｉｎｃｉ（登録商標）  Ｓｕｒｇｉｃａｌ  Ｓｙｓｔｅｍは、低侵襲スレーブ外科手術器具の直感的かつ人間工学的制御を提供し、これは、外科医に対して、テレプレゼンスをもたらす。本システムは、３次元立体ビューア、２つのマスタツールマニピュレータ、動作モードを制御するためのフットペダル、ならびに長時間における座位使用のための人間工学的ヘッドおよびアームレストを提供する、専用外科医コンソールを組み込む。
【０００３】
そのような遠隔操作ロボット外科手術システムを使用する間、外科医は、典型的には、滅菌外科手術野から物理的に分離されている。したがって、外科医は、ロボット的に制御することができない、何らかのタスクを患者側で行うために、手術室内にいるアシスタントに依存する。
【発明の概要】
【課題を解決するための手段】
【０００４】
患者側外科医インターフェースは、低侵襲遠隔操作外科手術システムを使用する際、高度な能力を提供する。患者側外科医インターフェースは、外科手術の滅菌外科手術野内に少なくとも１つの構成要素を有する。構成要素によって、外科医は、滅菌外科手術野内から、時として、スレーブ外科手術器具と称される、少なくとも１つの遠隔操作スレーブ外科手術器具を制御することが可能となる。したがって、患者側外科医インターフェースによって、外科医は、外科手術を受ける患者に隣接する滅菌外科手術野内に存在することが可能となる。
【０００５】
滅菌外科手術野内から、低侵襲スレーブ外科手術器具を制御することによって、低侵襲外科手術は、外科医による直接的視覚化と組み合わせることができる。患者への近接性によって、外科医は、腹腔鏡下器具等の１つ以上の手動操作器具とともに、遠隔操作スレーブ外科手術器具を制御することが可能となる。また、外科医は、滅菌外科手術野内から、患者側外科医インターフェースを使用して、別の外科医を監督する際、外科手術器具および／または少なくとも１つのプロキシ視覚を制御することができる。
【０００６】
故に、一態様では、低侵襲外科手術システムは、患者側外科医インターフェースを含む。患者側外科医インターフェースは、手術室内に搭載される表示デバイスおよびマスタインターフェースを含む。
【０００７】
マスタインターフェースは、手術室内の任意の対象に対して、機械的に固定されていないマスタツールグリップを含む。マスタインターフェースはまた、マスタツールグリップから分離および隔てられたハンド追跡送信機を含む。ハンド追跡送信機は、マスタツールグリップの感知された位置および感知された配向を生成するための３次元位置追跡技術によって、マスタツールグリップに連結される。
【０００８】
低侵襲外科手術システムはまた、遠隔操作スレーブ外科手術器具と、ハンド追跡センサ、表示デバイス、および遠隔操作スレーブ外科手術器具に連結された制御システムと、を含む。制御システムは、感知された情報に応答して、制御コマンドを遠隔操作スレーブ外科手術器具に送信する。制御システムはまた、遠隔操作スレーブ外科手術器具が、制御コマンドに応答して移動するのに伴って、表示デバイスによって生成される画像を更新する。
【０００９】
一態様では、患者側外科医インターフェースはまた、立体的画像ビューアを含む。立体的画像ビューアを通して、表示デバイス上で画像を視認することに応じて、立体的画像が見られる。
【００１０】
別の態様では、患者側外科医インターフェースはまた、可動安定化プラットホームを含む。安定化プラットホームは、外科医が、マスタツールグリップを把持する間、外科医の前腕を支持する。安定化プラットホームは、表示デバイスのいかなる移動からも独立して移動することができる。一態様では、可動安定化プラットホームは、手術台の位置に対して、可動安定化プラットホームを移動させるために使用される、複数の車輪を含む。別の態様では、可動安定化プラットホームは、手術台に搭載される。さらに別の態様では、安定化プラットホームは、前腕支持が、座位または立位のまま調節および使用することができるように、ブレーキとともに、調節可能機械アームに搭載される。
【００１１】
なおもさらなる別の態様では、低侵襲外科手術システムはまた、制御システムに連結され、立体的表示デバイスおよび動力付きマスタインターフェースを含む、外科医のコンソールを含む。制御システムさらには、プロキシ視覚を提供するために外科医のコンソールの立体的表示デバイスに連結され、マスタツールグリップの移動を特性化する感知された情報を受信するためのハンド追跡センサに連結される、プロキシ視覚モジュールを備える。プロキシ視覚モジュールの実行は、感知された情報に応答して、プロキシ視覚を移動させる。
【００１２】
一態様では、感知された位置および配向情報は、滅菌外科手術野内に位置する機械的に固定されていないマスタツールグリップを移動させることによって生成される。感知された位置および配向情報は、滅菌外科手術野内で作業し、機械的に固定されていないマスタツールグリップを操作する人物と関連付けられた基準フレームにおけるものである。一態様では、基準フレームは、体心基準フレームである。低侵襲遠隔操作スレーブ外科手術器具のエンドエフェクタの移動は、感知された位置および配向情報に基づいて制御される。エンドエフェクタもまた、滅菌外科手術野内にある。さらに、手動操作外科手術器具は、手動操作外科手術器具の制御ハンドルを使用する人物によって制御される。制御ハンドルは、滅菌外科手術野内にある。
【００１３】
別の態様では、機械的に固定されていないマスタツールグリップの位置および配向は、機械的に固定されていないマスタツールグリップを操作する人物と関連付けられた基準フレーム内で感知される。一態様では、基準フレームは、体心基準フレームである。位置および配向は、機械的に固定されていないマスタツールグリップが、ハンド追跡送信機からの視野内で移動し、かつ滅菌外科手術野内で移動されると、感知される。
【００１４】
感知された位置および配向は、制御システムによって受信される。制御システムは、表示デバイス上に表示された画像と関連付けられた基準フレームに対して、感知された位置および配向を使用して、制御コマンドを生成する。制御システムは、制御コマンドを遠隔操作スレーブ外科手術器具に送信する。
【図面の簡単な説明】
【００１５】
【図１Ａ】図１Ａは、患者側外科医インターフェースを含む、低侵襲外科手術システムの概略図である。
【図１Ｂ】図１Ｂは、患者側外科医インターフェースおよび外科医のコンソールを含む、低侵襲外科手術システムの概略図である。
【図２Ａ】図２Ａは、図１Ａおよび１Ｂのマスタツールグリップの一態様のより詳細な略図である。
【図２Ｂ】図２Ｂは、図１Ａおよび１Ｂのマスタツールグリップの別の態様のより詳細な略図である。
【図２Ｃ】図２Ｃは、図１Ａおよび１Ｂのマスタツールグリップのさらに別の態様のより詳細な略図である。
【図３Ａ】図３Ａは、図１Ａおよび１Ｂの表示デバイスの一態様のより詳細な略図である。
【図３Ｂ】図３Ｂは、図１Ａおよび１Ｂの表示デバイスの別の態様のより詳細な略図である。
【図３Ｃ】図３Ｃは、図１Ａおよび１Ｂの表示デバイスのさらに別の態様のより詳細な略図である。
【図４Ａ】図４Ａおよび４Ｂは、図１Ａおよび１Ｂの可動人間工学的支持の態様を例証する。
【図４Ｂ】図４Ａおよび４Ｂは、図１Ａおよび１Ｂの可動人間工学的支持の態様を例証する。
【図４Ｃ】図４Ｃは、患者側外科医インターフェース内のフットトレイの態様を例証する。
【図５Ａ】図５Ａは、３次元画像とマスタツールグリップとの間の従来の構成を再現するように、垂直に配向される場合に要求されるであろう、手首の配向の例証である。
【図５Ｂ】図５Ｂは、手首配向運動をマッピングする際、固定された回転オフセットを利用することによって得られる、改良型手首配向の例証である。
【図６Ａ】図６Ａは、図１Ａおよび１Ｂのシステムにおいて利用される、内視鏡下座標フレームの例証である。
【図６Ｂ】図６Ｂは、図１Ａおよび１Ｂのシステムにおいて利用される、体心マッピングの一態様の例証である。
【図７】図７は、制御システムの種々の態様を実装するために使用されるモジュールを含む、制御システムのブロック図である。
【図８】図８は、本実施例では、仮想ゴースト器具である、表示デバイス上に提示される、遠隔操作スレーブ外科手術器具およびプロキシ視覚の画像の例証である。
【図９】図９は、制御システムの一態様のためのプロセスフロー図である。
【発明を実施するための形態】
【００１６】
図面中、図番号の１桁目は、その図番号を伴う要素が、最初に現れた図を示す。
【００１７】
本明細書で使用される場合、滅菌外科手術野とは、外科手術手技のために準備された患者のすぐ周辺の領域を意味する。滅菌外科手術野は、適切な着衣を身に付け、洗浄を行ったチームメンバーおよびその領域内のすべての備品を含む。
【００１８】
本明細書で使用される場合、機械的に固定されていないマスタツールグリップとは、広い作業範囲内において可能な位置および配向運動に対して制約されない、マスタツールグリップを意味する。本定義の目的から、広い作業範囲は、ユーザの腕の長さ内の位置運動の追跡およびすべての配向の追跡を可能にする範囲である。
【００１９】
一般に、図１Ａおよび１Ｂを参照すると、本発明の態様は、低侵襲遠隔操作外科手術システム１００を使用する際、高度な能力を提供する、患者側外科医インターフェース１５０を含む。従来の低侵襲遠隔操作外科手術システムと異なり、患者側外科医インターフェース１５０は、外科手術の滅菌外科手術野内に少なくとも１つの構成要素を有する。本構成要素によって、表示デバイス１６０の画像と組み合わせ、外科医１０１は、滅菌外科手術野内から、遠隔操作スレーブ外科手術器具１１０、１１１の制御が可能となる。したがって、患者側外科医インターフェース１５０によって、外科医１０１は、外科手術を受ける患者１０２に隣接する滅菌外科手術野内で作業が可能である。
【００２０】
滅菌外科手術野内から、低侵襲スレーブ外科手術器具１１０、１１１を制御することによって、低侵襲外科手術が、患者１０２の直接的視覚化、カート１０５、任意の手動操作外科手術器具、外科手術において使用される他の機械および／または器具等と組み合わせて、外科医１０１によって、可能となる。患者１０２への近接性によって、外科医１０１は、腹腔鏡下器具またはステープラ等の１つ以上の手動制御器具１１５とともに、遠隔操作スレーブ外科手術器具１１０のエンドエフェクタの制御が可能となる。
【００２１】
また、以下により完全に説明されるように、外科医１０１は、滅菌外科手術野内から、監督外科医１９５に対する少なくとも１つのプロキシ視覚を制御することができる（図１Ｂ）。プロキシ視覚は、表示デバイス１６０と、滅菌外科手術野外に位置する、外科医のコンソール１１４において視認される表示デバイスの両方で可視である（図１Ｂ）。マスタツールグリップ１７０を使用して、外科医１０１は、プロキシ視覚を操作し、遠隔操作スレーブ外科手術器具１１０、１１１の制御および使用を実演することができる。代替として、外科医１９５は、プロキシ視覚を制御し、外科医のコンソール１１４上のマスタツールマニピュレータを使用して、外科医１０１に指示することができる。
【００２２】
患者側外科医インターフェース１５０は、低侵襲遠隔操作外科手術システム１００のための手術室の床要件を低減させる。患者側外科医インターフェース１５０は、従来の低侵襲遠隔操作外科手術システムにおける外科医のコンソール１１４（図１Ｂ）に対してより低コストの代替を提供する。
【００２３】
一態様では、患者側外科医インターフェース１５０は、（ｉ）表示デバイス１６０、（ｉｉ）少なくとも１つの機械的に固定されていない非動力付きマスタツールグリップ１７０、典型的には、２つの機械的に固定されていない非動力付きマスタツールグリップと、ハンド追跡送信機１７５とを含むマスタインターフェース、（ｉｉｉ）フットトレイ（図４Ｃ参照）、および随意に、（ｉｖ）人間工学的支持１８０を含む。以下により完全に説明されるように、表示デバイス１６０は、例えば、スレーブ外科手術器具１１０および外科手術部位の２次元画像または３次元画像１６１のいずれかを提供することができる。
【００２４】
一態様では、表示デバイス１６０は、スレーブ外科手術器具１１０のエンドエフェクタと外科手術部位との画像１６１を含む３次元画像として、外科医が知覚する出力を提供する。エンドエフェクタは、滅菌外科手術野内に位置する。３次元画像は、外科医１０１が、器具および患者生体構造の相対的奥行を評価可能となるように、３次元奥行の手がかりを提供する。３次元奥行の手がかりによって、外科医１０１は、視覚的フィードバックを使用して、マスタツールグリップ１７０を使用して、スレーブ外科手術器具１１０のエンドエフェクタを操向し、１ミリメートルの精度内において、特徴を精密に標的化することが可能となる。
【００２５】
表示デバイス１６０は、外科医１０１が、滅菌外科手術野内で作業可能となる位置から、容易かつ快適に視認するために、表示デバイス１６０を特定することができるように搭載される。しかしながら、表示デバイス１６０の位置決めは、典型的には、（ｉ）患者１０２を診断する外科医１０１の能力、（ｉｉ）マスタツールグリップ１７０による患者側の処置の性能、（ｉｉｉ）任意の他の外科手術器具の手動操作、（ｉｖ）他の表示の視認、または（ｖ）外科手術において使用される他の器具類の機能性による干渉を防止するために限定される。また、表示デバイス１６０の移動は、マスタツールグリップ１７０の移動とスレーブ外科手術器具先端の移動との間の追従が開始される時、および追従が進行中である時は、阻止され得る。
【００２６】
外科医１０１は、滅菌外科手術野内で作業する間、患者１０２の側に快適に着席または起立し、外科手術の際、表示デバイス１６０に目を向ける。外科医１０１は、少なくともマスタツールグリップ１７０を操縦することによって、医療手技を行う（図１Ａ）。一態様では、外科医１０１は、標的化および把持が、依然として、直感的指示および挟持運動を伴うように、親指と人指し指との間で、マスタツールグリップ１７０を把持する。マスタツールグリップ１７０は、マスタツールグリップ１７０が、安全に位置付けられ、外科手術のための滅菌外科手術野内で使用され得るように、滅菌または被覆のいずれかが行われる。一態様では、同様に、滅菌外科手術野内にあり得る、人間工学的前腕レスト１８０は、外科医１０１が、外科手術の際、マスタツールグリップ１７０を操縦するのに伴って、外科医の前腕または肘を支持するように提供される。
【００２７】
滅菌外科手術野で作業する間、外科医がマスタツールグリップ１７０を移動させるのに伴って、一態様では、感知された空間情報および感知された配向情報が、マスタツールグリップ１７０の移動に基づいて、制御システム１９０に提供される。例えば、ハンド追跡送信機１７５は、場、例えば、電磁場、光場（例えば、光ビーム）等を生成し、この場におけるマスタツールグリップ１７０の移動は、３次元座標系として、感知された空間位置および配向情報を提供する。
【００２８】
以下により完全に説明されるように、制御システム１９０は、感知された空間運動データおよび感知された配向データを共通基準フレームにマッピングする。制御システム１９０は、マッピングされたデータを処理し、マスタツールグリップ１７０の移動に基づいて、時として、先端と称される、遠隔操作スレーブ外科手術器具１１０のエンドエフェクタを適切に位置付けるためのコマンドを生成する。
【００２９】
制御システム１９０は、遠隔操作サーボ制御システムを使用して、外科医１０１が、スレーブ外科手術器具１１０の先端を効果的に操縦することができるように、マスタツールグリップ１７０の感知された運動を変換し、制御コマンドを通して、関連付けられたロボットアームに転送する。したがって、滅菌外科手術野内で作用する外科医１０１は、滅菌外科手術野内にある、マスタツールグリップ１７０を使用して、スレーブ外科手術器具１１０のエンドエフェクタを遠隔操作する。
【００３０】
１度に使用される遠隔操作スレーブ外科手術ツールの数、その結果、システム１００において使用されるロボットアームの数は、概して、他の要因の中でもとりわけ、行われる医療手技および手術室内の空間制約に依存する。手技の際に使用されるスレーブ外科手術器具のうちの１つ以上を変更する必要がある場合、アシスタント１０３は、もはや使用されないスレーブ外科手術器具をそのロボットアームから除去し、そのスレーブ外科手術器具を手術室内のトレーからの別のスレーブ外科手術器具と交換し得る。外科手術の際、少なくとも１つのロボットスレーブ外科手術器具の遠位端は、滅菌外科手術野内に位置付けられる。
【００３１】
外科手術テレプレゼンスを提供する遠隔操作ロボット外科手術システムは、従来の観血外科手術および手動で行われる低侵襲外科手術に勝る多くの利点をもたらすが、外科手術滅菌外科手術野内から作業する間、そのような遠隔ロボット外科手術を行う能力を外科医に提供すすることは、さらなる効果をもたらす。例えば、患者側外科医インターフェース１５０は、手術を行っている外科医１０１が、スレーブ外科手術器具１１０、１１１を操縦しながら、患者１０２およびロボット患者側カート１０５を直接観察することを可能になることによって、安全性を向上させる。
【００３２】
また、患者側外科医インターフェース１５０によって、単独外科医１０１が、滅菌外科手術野内で操作し、外科手術器具１１５等の手動外科手術器具および１つ以上の遠隔操作スレーブ外科手術器具１１０、１１１の連携使用を要求する、手技を行うことが可能となる。これは、外科医が、外科手術野から遠隔で操作し、滅菌外科手術野内で作業するアシスタントが、典型的には、ステープラ等の手動操作低侵襲外科手術器具を制御する、従来の遠隔操作外科手術システムに勝る利点を有する。従来、遠隔外科医は、アシスタントと口頭で連携し、適切に手動器具を定置し、器具間の作用を調整しなければならない（例えば、遠隔操作器具を使用して、組織を手動操作器具に供給する）。
【００３３】
しかしながら、本明細書に説明されるように、単独外科医１０１が、同時に、有利には、スレーブ外科手術器具１１０および手動操作外科手術器具１１５（例えば、ステープラ器具）の両方をともに使用し得るため、外科手術の作業フローは、向上される。例えば、手動操作外科手術器具１１５は、滅菌外科手術野内に位置する制御ハンドルを含む。外科医１０１は、制御ハンドルを使用して、手動操作外科手術器具１１５を制御する。
【００３４】
また、インターフェース１５０によって、外科医１０１は、患者１０２の体内および体外の両方から、撮像プローブ、操縦可能針等を制御可能となる。したがって、インターフェース１５０によって、外科医１０１は、手動操作低侵襲ツールを使用する際、自己補助可能となる。さらに、例えば、経口、耳、鼻、喉手技において、インターフェース１５０によって、外科医１０１は、遠隔操作スレーブ外科手術器具１１０、１１１とともに、従来の観血的外科手術器具を使用する際、自己補助することが可能となる。
【００３５】
インターフェース１５０は、遠隔操作外科手術システム１００のための付加的大型の独立型外科手術コンソールを必要とすることなく、共同手技を促進する。また、アシスタント１０３は、インターフェース１５０を共有し、他の外科手術器具を操作し得る。加えて、複数の外科医が、共通表示デバイス１６０を使用して、協力し得る。
【００３６】
前述の態様に加えて、また、患者側外科医インターフェース１５０によって、外科医１０１は、付加的外科医コンソールを必要とすることなく、外科医１９５（図１Ｂ）を指導または外科医１９５と協力することが可能となる。外科医１０１は、外科医１９５が従来の外科医のコンソール１１４によって見ている表示デバイス１６０上の同一情報を見ることになる。しかしながら、外科医１０１は、滅菌外科手術野内で作業しているため、外科医１０１は、外科医１９５に容易に利用可能ではない患者の全体的外観等、付加的情報へのアクセスを有し得る。
【００３７】
外科医１０１および１９５は、同一情報を視認するため、外科医１０１は、インターフェース１５０を使用して、適切な技法および遠隔操作スレーブ外科手術器具の使用を実演することができる。例えば、外科医１０１は、インターフェース１５０を使用して、少なくとも１つのプロキシ視覚を操縦させ、組織を把持すべき場所を視覚的に示したり、器具によって組織を後退させるべき方向を視覚的に示したりし得る。同様に、遠隔に位置する外科医１９５は、実際またはプロキシ視覚のいずれかを使用して、滅菌外科手術野外科医１０１に技法を実演し得、外科医１０１は、実際またはプロキシ視覚のいずれかを使用して追従し得る。ここでは、実際の視覚とは、遠隔操作スレーブ外科手術器具のエンドエフェクタの画像を指す。
【００３８】
加えて、２人の外科医は、表示１６０を視認し、それぞれ、少なくとも１つのマスタツールグリップを有する可能性がある。一方の外科医は、プロキシ視覚を制御する一方、他方の外科医は、スレーブ外科手術器具のエンドエフェクタを制御する可能性がある。
【００３９】
前述のように、患者側外科医インターフェース１５０は、少なくとも、マスタツールグリップおよび追跡システム、表示、随意に、人間工学的支持を含む。また、従来の制御システムへの種々のマッピングおよび修正が実装される。これらの態様はそれぞれ、以下に詳細に説明される。
【００４０】
（マスタインターフェース）
本実施例では、図２Ａに示されるように、患者側外科医インターフェース１５０は、第１のマスタツールグリップ１７０Ａおよび第２のマスタツールグリップ１７０Ｂを含む。マスタツールグリップ１７０Ａおよび１７０Ｂは、例証にすぎず、マスタツールグリップを本具体的構成に限定することを意図するものではない。本開示に照らして、種々のマスタツールグリップは、滅菌外科手術野内から、器具１１０、１１１（図１Ａおよび１Ｂ）等の遠隔操作スレーブ外科手術器具を制御するために使用することができる。
【００４１】
選択されるマスタツールグリップ技術は、外科医１０１の手に固着される。各マスタツールグリップ１７０Ａ、１７０Ｂはまた、プレゼンス検出を含む。例えば、静電容量スイッチ、圧力スイッチ、赤外線ビームベースのプレゼンススイッチ、またはある他の種類のプレゼンス検出機構は、外科医１０１が、マスタツールグリップと適切に接触し、したがって、それを制御しているかどうかを決定するために提供される。本プレゼンス検出機構は、外科医が、マスタツールグリップを落とした場合、マスタツールグリップを別の外科医に手渡した場合、滅菌トレーに置いてある間、マスタツールグリップを動かした場合、または何らかの他の措置を講じ、したがって、マスタツールグリップの制御を失った場合等、別様に生じる場合がある、偶発的スレーブツールの移動を防止する、安全特徴である。
【００４２】
一態様では、マスタツールグリップ１７０Ａ、１７０Ｂは、少なくとも１つのモード制御ボタン２０１Ａ、２０１Ｂを含む。モード制御ボタン２０１Ａ、２０１Ｂは、追従（マスタツールグリップの運動と関連付けられた遠隔操作スレーブ外科手術器具との間の追従を開始する）、マスタクラッチ起動（スレーブ器具のマスタ制御を分断する）、内視鏡下カメラ制御（マスタが、内視鏡の移動あるいはフォーカスまたは電子的ズーム等の特徴の制御が可能となる）、ロボットアームスワップ（２つのスレーブ器具間の特定のマスタ制御をスワップさせる）、およびＴｉｌｅＰｒｏスワップ、（外科医の表示上の補助ビデオウィンドウの表示をトグルする）のうちの少なくとも１つと併用される。マスタツールグリップ１７０Ａ、１７０Ｂ上に実装されたモード制御ボタンの数および機能は、以下により完全に説明されるフットトレイ内のフットペダルと機能的に関連付けられたものに相補的である。
【００４３】
システム１００内に、２つのみのマスタツールグリップ１７０Ａ、１７０Ｂが存在し、外科医１０１が、２つのマスタツールグリップに連結された２つのスレーブ外科手術器具以外のスレーブ外科手術器具の移動の制御を所望する時、外科医１０１は、２つのスレーブ外科手術器具の一方または両方を定位置にロックし得る。次いで、外科医１０１は、マスタツールグリップの一方または両方を、本実装では、別のスレーブ外科手術器具へのマスタツールグリップのスワップ関連付けを提供する、マスタツールグリップ上のボタンをタップすることによって、ロボットアームの他方によって保持される他方のスレーブ外科手術器具と関連付ける。
【００４４】
一態様では、各マスタツールグリップ１７０Ａ、１７０Ｂは、一方のマスタツールグリップが外科医１０１の左手用であって、別のマスタツールグリップが外科医１０１の右手用であるように、硬さの触知感覚を提供する（例えば、左手または右手のいずれかに適応される特定の形状）。加えて、マスタツールグリップの特定のグリップ型は、マスタツールグリップを使用して、外科医の選好に対応するようにカスタマイズすることができる。
【００４５】
図２Ａの実施例では、各マスタツールグリップ１７０Ａ、１７０Ｂは、外科医１０１（図１Ａおよび１Ｂ）が、典型的には、親指と人指し指との間で対のレバーを把持することができるように、それぞれ、フィンガループ２３３Ａ、２３３Ｂ、２３４Ａ、２３４Ｂを伴う、２つのレバー２３１Ａ、２３１Ｂ、２３２Ａ、２３２Ｂを含む。パームレスト２３５、２３６は、本実施例では、外科医の手のひらに適合し、手のひらから手の甲まで延在する。マスタツールグリップの他の実施例として、グローブデバイスおよび指ぬきデバイスが挙げられるが、これらに限定されない。また、マスタツールグリップは、ピストル形グリップデバイスまたは鉛筆形グリップデバイスとして実装される可能性もある。また、以下に説明される、図２Ｂおよび２Ｃも参照されたい。
【００４６】
マスタツールグリップ１７０、１７０Ａ、１７０Ｂは、手術室内の全機器に対して、機械的に制限されていない。ケーブル２４１、２４２は、マスタツールグリップ１７０Ａ、１７０Ｂを制御システム１９０に接続する。一態様では、ケーブル２４１、２４２は、マスタツールグリップ１７０Ａ、１７０Ｂ内のセンサからの位置および配向情報を制御システム１９０に搬送し、ならびにグリップ閉合のためのセンサデータおよびマスタツールグリップ１７０Ａ、１７０Ｂ上のボタン入力のための状態データを搬送する。
【００４７】
感知された位置および配向データを制御システム１９０に伝送するためのケーブルの使用は、例証にすぎず、本具体的態様に限定することを意図するものではない。本開示に照らして、当業者は、感知された位置および配向データをマスタツールグリップまたはマスタツールグリップから制御システム１９０に伝送する（例えば、無線接続の使用によって）ための機構を選択することができる。
【００４８】
ケーブル２４１、２４２は、マスタツールグリップ１７０Ａ、１７０Ｂの運動を阻害しない。各マスタツールグリップ１７０Ａ、１７０Ｂは、機械的に固定されていないので、各マスタツールグリップは、外科医の到達可能な作業空間およびハンド追跡送信機の作業空間（例えば、デカルト座標系における動揺、水平傾斜移動、急上昇、ピッチ、ヨー、およびロール）内の位置および配向運動の両方に対して、効果的に制約されない。各マスタツールグリップ１７０Ａ、１７０Ｂはまた、ペンチ形グリップ機構を含むため、各マスタツールグリップ１７０Ａ、１７０Ｂは、少なくとも７自由度を有する。
【００４９】
ハンド追跡送信機１７５は、例えば、電磁空間追跡システム、慣性空間追跡システム、光学空間追跡システム、または音波空間追跡システムであることができる。感知された情報を提供するデバイスは、特定の空間追跡システムまたは使用されるシステムの組み合わせに応じて、可変であり得る。各実装では、マスタツールグリップのための少なくとも感知された位置および配向情報は、制御システムに提供される。
【００５０】
いくつかの態様では、電磁空間追跡システムおよび慣性空間追跡システムの組み合わせ、または光学空間追跡システムおよび慣性空間追跡システムの組み合わせが使用され得る。慣性空間追跡システムは、高更新頻度および高解像度を有するが、統合されると、絶対的位置ドリフトの影響を受けやすい、差動追跡情報のみを提供する。慣性空間追跡からの差動追跡情報は、機械的に固定されていないマスタツールグリップのために、ドリフトの無い絶対的位置追跡に高更新頻度および高解像度を提供するように相補的様式において、他の空間追跡システムからの絶対的追跡情報と融合することができる。
【００５１】
一態様では、空間および配向追跡の特定の実装に関係なく、追跡システムは、信頼性があって、かつ継続的な入力データを制御システム１９０に提供する。高解像度位置および配向感知は、少なくとも、１ミリメートルを超える位置解像度および１度未満の回転解像度を提供する。制御システム１９０に提供されるデータは、低待ち時間および高更新頻度、例えば、最大でも１５ミリ秒の待ち時間および少なくとも４０Ｈｅｒｔｚの更新率を有する。
【００５２】
図２Ｂは、マスタツールグリップ２２０の別の実施形態を例証する。マスタツールグリップ２２０は、ストラップ２２７を伴うカフ２２５、シャフト２４３、および本体２４２を含む。
【００５３】
カフ２２５は、内側表面２２５Ｂが外科医の手の甲を覆って、反対の内側表面２２５Ａが外科医の手のひらを覆うように、外科医１０１の手を中心として適合する。一態様では、Ｖｅｌｃｒｏ（登録商標）ストラップである、ストラップ２２６は、カフ２２５を外科医の手に固着する。
【００５４】
カフ２２５は、外科医の手の外周の周囲に快適に適合するように定寸される。一態様では、カフ２２５は、６インチ（１５．３ｃｍ）の外周を有し、ストラップ２２７は、カフ２２５が約６．８から約９．１インチ（１７．３ｃｍから２３．１ｃｍ）の外周を伴う手で使用することができるように定寸される。
【００５５】
一態様では、ストラップ２２６が定位置に置かれ、カフ２２５の両方の部品に固着されると、プレゼンス検出スイッチが起動されるが、前述のプレゼンス検出技法のいずれかかが使用され得る。
【００５６】
モード制御ボタン２２６は、カフ２２５の外側表面上に位置付けられる。モード制御ボタン２２６は、親指と人指し指との間でレバー２４１Ａおよびレバー２４１Ｂを把持している時、外科医の他の指のうちの１つが、モード制御ボタン２２６に到達し、押下することができるように、位置付けられる。
【００５７】
マスタツールグリップ２２０の本体２４２は、シャフト２４３上に摺動可能に搭載される。シャフト２４３は、カフ２２５に添着される。一態様では、本体２４２は、カフ２２５から離れるように、最大１．８インチ（４．６ｃｍ）、シャフト２４３に沿って移動する。本体２４２はまた、シャフト２４３を中心として回転する。
【００５８】
２つのレバー２４１Ａ、２４１Ｂは、一端で本体２４２上に搭載される。レバー２４１Ａ、２４１Ｂの構成は、類似しており、したがって、レバー２４１Ａのみ詳細に検討される。
【００５９】
レバー２４１Ａは、本体２４２上に搭載された端部の反対のレバーの端部に搭載される、接触板２４６Ａを有する。外科医１０１（図１Ａおよび１Ｂ）は、典型的には、親指と人指し指との間で接触板２４６Ａおよび２４６Ｂを把持し、接触板２４６Ａおよび２４６Ｂを本体２４２に向かって押圧し、遠隔操作スレーブ外科手術器具エンドエフェクタの把持を向上させることができる。したがって、レバー２４１Ａ、２４１Ｂは、エンドエフェクタの把持または他の動作を模倣するように、本体２４２に搭載される。例えば、可変抵抗バネは、接触板２４６Ａ、２４６Ｂが本体２４２に接近するのに伴って、接触板２４６Ａ、２４６Ｂを移動させる抵抗がその方向にさらに増加するように使用され得る。
【００６０】
接触板２４６Ａと本体２４２への取着点との間のレバー２４１上に搭載されるのは、磁石およびホール効果センサを含む、閉合センサ２４４Ａである。閉合センサ２４４Ａは、レバー２４１Ａが本体２４２に向かって、またはそこから離れるように移動するのに伴って、把持閉合情報を提供し、制御システム１９０は、遠隔操作スレーブ外科手術器具のエンドエフェクタの閉合を制御する際、把持閉合情報を使用する。
【００６１】
カフ２２５の遠位の本体２４２の端部に搭載されるのは、電磁センサ２４５であり、電磁センサ２４５は、ハンド追跡送信機１７５からの視野と組み合わせて使用され、マスタツール追跡装置２２０がハンド追跡送信機１７５からの視野内で移動するのに伴って、感知された位置情報および感知された配向情報を生成する。
【００６２】
図２Ｃは、さらに別のマスタツールグリップ２６０の例証である。本実施形態では、機器化されたフィンガを伴うグローブの代わりに、フィンガループ２６１Ａ、２６１Ｂが、外科医の親指および人指し指上に定置される。
【００６３】
各フィンガループ２６１Ａ、２６１Ｂは、その上に搭載された小型電磁センサ２６２Ａ、２６２Ｂを有する。部材２６２は、フィンガループ２６１Ａと２６１Ｂとの間に延在する。一態様では、部材２６２は、スレーブ外科手術ツールエンドエフェクタの閉合を模倣し、グリップ閉合情報を提供する。
【００６４】
フィンガループ２６１Ａ、２６１Ｂが離れるのに伴って、エンドエフェクタが開放される。フィンガループ２６１Ａ、２６１Ｂが相互に向かって移動されるのに伴って、部材２６２は、エンドエフェクタの閉合および把持（適切である場合）をシミュレートする抵抗を提供する。回転軸を作動させるために、外科医１０１は、単に、指と親指をともに擦り合わせると、相互に対するセンサ２６２Ａ、２６２Ｂの配向変化は、回転量に対応する。
【００６５】
マスタツールグリップの本明細書に説明される種々の実施形態は、例証にすぎず、限定することを意図するものではない。一態様では、各マスタツールグリップは、種々のグリップ選好に対応させながら、外科医の手にマスタツールグリップを保持する安全な方法を含む。マスタグリップによって、外科医は、全体的と微細な運動の両方を容易に行うことが可能となる。
【００６６】
一態様では、マスタツールグリップは、少なくとも１つのモード制御ボタンを組み込む。マスタツールグリップによって、外科医は、マスタツールグリップから指と親指を容易に除去することが可能となる。一態様では、マスタグリップは、別個に感知された回転軸を組み込む。マスタグリップは、外科医のプレゼンスを検出し、３次元追跡センサに対応する。マスタツールグリップはまた、マスタグリップが滅菌できない時、滅菌カバーにも対応する。いくつかの態様では、マスタツールグリップは、外科手術器具への同等の重量および質量分散を維持する。
【００６７】
（表示デバイス）
図３Ａは、例えば、液晶表示（ＬＣＤ）デバイスである、表示デバイス１６０上に画像を提供する、システムの一態様のより詳細なブロック図である。従来の立体的内視鏡１１２は、患者１０２の組織ならびに立体的内視鏡１１２の視野内の外科手術器具１１０および１１１の任意のエンドエフェクタの左右チャネル画像を提供する。
【００６８】
立体的内視鏡１１２は、組織から光を伝達するための２つのチャネル（例えば、左右画像のためのチャネル）を含む。各チャネル内で伝達される光は、組織の異なる視点を表す。光は、１つ以上の画像を含むことができる。光は、電荷結合素子−カメラによって捕捉される。電荷結合素子からの情報は、制御システム１９０内のビデオコントローラ３９１によって処理され、適切な更新情報が、ビデオコントローラ３９１によって、表示デバイス１６０に提供される。ビデオコントローラ３９１によって表示デバイス１６０に提供される特定の情報は、以下により完全に論じられるように、表示デバイス１６０の特色に依存する。
【００６９】
前述のように、表示デバイス１６０は、いくつかの態様では、２次元画像として、外科医１０１によって知覚されてもよく、他の態様では、３次元画像として、外科医１０１によって知覚され得る、画像を提供することができる。３次元で見て、生体構造および器具の相対的奥行を知覚する能力は、従来の手動で行われる腹腔鏡下手技で提供される、典型的２次元画像と比較して、有利である。正確な立体的奥行の手がかりは、認知的負荷を低減させ、動作の効率性を向上させることができる。しかしながら、正確な立体的手がかりは、眼間隔および作業距離比の確保を要求する。
【００７０】
一態様では、表示デバイス１６０は、ブーム３１０上に搭載され、患者１０２および少なくとも外科医１０１に対して、表示デバイス１６０の便利な定置および再配向を可能にする。表示デバイス１６０および／またはブームは、表示デバイス１６０が、前述のように移動することができるように、ハンドル３１１、３１２を含む。
【００７１】
一態様では、ハンドル３１１、３１２は、ハンドル３１１、３１２が滅菌外科手術野内に含まれるように、被覆される。これによって、滅菌外科手術野内で作業している人物によって、表示デバイス１６０を移動させることが可能となる。
【００７２】
ブーム３１０は、一態様では、システム１００がスレーブ外科手術器具がマスタツールグリップの移動に追従するモード（追従モード）にある間、表示デバイス１６０が移動できないように、ブレーキを含む。代替として、一態様では、いずれの移動表示デバイス１６０も、システム１００が追従モードにある間、追従モードを遮断する。ある場合には、マスタツールグリップ運動は、表示デバイス１６０に対して感知され、したがって、表示デバイス１６０は、システムが追従モードにある間、移動可能ではない。実装に関係なく、一態様では、表示デバイス１６０は、制御システム１９０に連結された表示モーションインターロックを含み、本インターロックは、そのような移動が外科医１０１に不適切および／または方向感覚を失わせるであろう、あるシステム動作モードにおける表示移動を防止する。
【００７３】
加えて、表示デバイス１６０は、外科医プレゼンススイッチを含む。外科医１０１が、表示デバイス１６０に対向し、外科医プレゼンススイッチの範囲内にいる時、スイッチは、制御システム１９０が追従モードに入り、かつ留まることを可能にする信号を制御システム１９０に提供する。外科医１０１が、表示デバイス１６０に対向していない、またはスイッチの範囲内にないのいずれかである時、外科医プレゼンススイッチは、制御システム１９０が追従モードに入ることを阻害する信号を制御システム１９０に提供する。一態様では、１つ以上の赤外線（ＩＲ）範囲センサが、表示１６０から、または代替として、外科医のビューア３６１から、外科医１０１の近距離を感知するように使用される。
【００７４】
外科医プレゼンススイッチは、外科医１０１が３次元画像内の視覚的奥行の手がかりを適切に評価するための位置にいない場合に、外科医１０１が、スレーブ外科手術器具を操作するのを防止する、安全特徴である。外科医プレゼンススイッチは、制御システム１９０に連結された表示ベースのプレゼンスインターロックの実施例である。
【００７５】
前述のように、表示コントローラ３９１によって、表示デバイス１６０に提供される情報は、利用される表示の種類に依存する。表示デバイス１６０上の３次元画像の場合、いくつかの異なる実装を利用することができる。
【００７６】
第１の実装では、表示デバイス１６０は、一対の偏光画像を提供し、外科医１０１は、特殊眼鏡３６１を装着する。外科医１０１は、特殊眼鏡３６１によって、対の偏光画像を視認すると、３次元画像が見える。偏光画像は、複数の方法で生成することができる。第１の態様では、表示は、自動的に、対の偏光画像を生成する、特徴を含む。第２の態様では、対の偏光画像を生成するフィルムが、液晶表示の画面に適用される。両場合において、偏光レンズを伴う受動的眼鏡が、３次元画像を視認するために要求される。
【００７７】
これらのアプローチのいずれにおいても、一態様では、ＬＣＤ表示上の画像の偏光は、ライン毎ベースで変更される。例えば、表示された画像内の偶数番号ラインは、一方向に偏光され、表示された画像内の奇数番号ラインは、別の方向に偏光される。典型的には、偶数番号ラインに対する偏光は、奇数番号ラインに対する偏光に垂直である。左眼画像は、偶数番号ラインからの偏光画像であり、本実施例の場合、右眼画像は、奇数番号ラインにからの偏光画像となるであろう。本態様は、制御システム１９０が、表示デバイス１６０に、ライン毎ベースで左右両方の眼情報を含む合成画像を提供することを要求する。本アプローチは、受動的偏光眼鏡３６１の使用を要求する。
【００７８】
本アプローチは、高解像度画像を提供し、広い視野によって、複数ユーザに対応可能である。リフレッシュ速度への依存およびちらつきもない。また、表示は、０．７ｍから３ｍの範囲内の距離で視認することができるため、外科医１０１は、特定の場所に限定されない。しかしながら、本アプローチは、ゴーストアーチファクトおよび側方頭部運動からの混乱させる歪を被る可能性がある。
【００７９】
前述の特色を伴う表示の実施例は、Ｐａｖｏｎｎｉｎｅ  Ｋｏｒｅａ、Ｉｎｃ．（（４０６−１３０）Ｐａｖｏｎｎｅ  Ｒ  ＆  Ｄ  Ｃｅｎｔｅｒ  ＃７−４２、Ｓｏｎｇｄｏ、Ｙｅｏｎｓｕ−ｇｕ、Ｉｎｃｈｅｏｎ、Ｋｏｒｅａ）によって提供されるＭｉｒａｃｕｂｅ  Ｇ２４０Ｍである。そのような特色を伴う表示の別の実施例は、ＪＶＣ  Ｕ．Ｓ．Ａ．（１７００  Ｖａｌｌｅｙ  Ｒｏａｄ、Ｗａｙｎｅ、ＮＪ  ０７４７０）によって提供されるＧＤ−４６３Ｄ１０である。加えて、これらの特色を伴う偏光フィルムは、市販されている。
【００８０】
別の実装では、立体的内視鏡１１２からの二重画像を、制御システム１９０によって、表示デバイス１６０上に提示することができ、立体ビューア３６１は、立体ビューア３６１が表示デバイス１６０からの固定された距離にあるように、ブーム上に搭載される。立体ビューア３６１は、表示デバイス１６０からの立体画像対を外科医１０１の眼に反射させる調節可能ミラーを含み、外科医の脳は、画像を単一の鮮明な３次元場面に融合する。一実施例では、立体ビューア３６１は、Ｗｈｅａｔｓｔｏｎｅ反射式立体鏡である。
【００８１】
図３Ｂは、表示デバイス１６０Ａを伴う、Ｗｈｅａｔｓｔｏｎｅ反射式立体鏡ビューア３６１Ａのより詳細な例証である。本態様では、表示デバイス１６０Ａは、ハンドル３１１Ａ、３１１Ｂを提供する、搭載ブラケット３２１内に搭載される。搭載ブラケット３２１は、一態様では、ブーム３１０に取着される。
【００８２】
立体的内視鏡１１２からの左右画像３１５、３１６は、ビデオコントローラ３９１によって、表示デバイス１６０Ａ上に表示される。ビューア３６１Ａは、拡張ブーム３２０によって、搭載ブラケット３２１に取着される。拡張ブーム３２０は、表示デバイス１６０Ａからビューア３６１Ａまでの距離の調節と、ビューア３６１Ａの垂直高の調節を可能にする。また、拡張ブーム３２０は、ビューア３６１Ａが、表示デバイス１６０Ａを視認する方向からずれて、直接回転することができるように回転する。
【００８３】
図３Ｂの態様では、搭載ブラケット３２１に取着されるのは、ハンド追跡送信機１７５のための支持アセンブリ３３０である。支持アセンブリ３３０は、その上に、ハンド追跡送信機１７５が搭載される、回転台３３１を含む。一態様では、回転台３３１は、回転盆装置として実装される。
【００８４】
立体ビューア３６１、３６１Ａの本実装は、ミラーを使用するため、フルカラーに対応する。３次元画像は、ゴースト像に悩まされることはなく、画面のちらつきから完全に解放され、容易な視認が可能となる。画像は、正確な立体奥行の手がかりを提供する。立体ビューア３６１、３６１Ａの位置は、表示デバイスからの良好な視認距離に位置する。また、立体ビューア３６１は、外科医プレゼンス検出のための頭部センサを支持し、運動マッピングのための適切な頭部整合を維持する。表示デバイス１６０の解像度は、立体画像解像度を決定する。
【００８５】
ビューアの正面に直接位置する立体画像を視認可能な立体ビューアは、Ｂｅｒｅｚｉｎ  Ｓｔｅｒｅｏ  Ｐｈｏｔｏｇｒａｐｈｙ  Ｐｒｏｄｕｃｔｓ（２１６８６  Ａｂｅｄｕｌ、Ｍｉｓｓｉｏｎ  Ｖｉｅｊｏ、ＣＡ  ９２６９１  ＵＳＡ）のＳｃｒｅｅｎＳｃｏｐｅ  ＬＣＤ  Ａｄｊｕｓｔａｂｌｅである。しかしながら、いくつかの態様では、手運動作業空間と併置される、立体画像を視認可能であることが有利である。これは、そのような立体ビューアを伴う潜望鏡のようなミラーアセンブリを使用して達成される。眼に対するミラーアセンブリ内の入射ミラーは、表示デバイス１６０からの画像を反射させるミラーと異なるピッチ角度を有することができる。一態様では、眼に対する入射ミラーの角度は、これらのミラーが搭載されるビューア接眼部を介して、調節可能である。水平から６０度の降下は、併置のための良好な作業角度であることが分かっている。
【００８６】
立体ビューアは、患者側位置の選択に対して、外科医が利用可能な選択肢を限定する。しかしながら、立体ビューアは、前述の種々のロックの実装を促進し、外科医１０１によって所望される作業位置の多くに到達するために、患者カートブーム上に搭載することができる。本実装は、複数のユーザが、表示デバイス１６０を使用して、同時に、同一３次元画像を視認することを可能にしない。
【００８７】
なおも別の態様では、能動的眼鏡３６１が、表示デバイス１６０上の画像を視認するために使用される。能動的眼鏡３６１は、時として、シャッタ眼鏡と称される。能動的眼鏡３６１は、表示デバイス１６０のリフレッシュ速度と併せて、各眼を「閉じる」。能動的眼鏡３６１内の各レンズは、効果的に、どちらの眼が表示デバイス１６０上に表示される画像を見るべきかに応じて、オフ（黒色）またはオン（透明）に切り替えられる、１画素のＬＣＤ画面である。
【００８８】
表示デバイス１６０が、１２０Ｈｚ  ＬＣＤデバイスである場合、１秒あたり、各眼に対して、６０フレームが表示されるように、映像１秒あたり、１２０フレームが表示される。これは、時として、ページめくりと称される。
【００８９】
無線接続または赤外線接続は、能動的眼鏡３６１を表示デバイス１６０と同期させるために使用される。左眼フレームが、表示デバイス１６０上に示されている場合、左レンズは、完全に開放し、その時間中に、画面は、右眼のための次のフレームによってリフレッシュし、能動的眼鏡３６１も、レンズの不透過率を切り替えなければならない。表示デバイス１６０が１２０Ｈｚ  ＬＣＤデバイスである場合、１秒あたり、各眼に対して、６０フレームが、制御システム１９０によって提供されるように、映像１秒あたり、１２０フレームが表示される。使用することができる１２０Ｈｚ  ＬＣＤ表示は、Ｓａｍｓｕｎｇから利用可能である。
【００９０】
本態様では、赤外線（ＩＲ）シャッタ信号は、外科医プレゼンス信号として使用され得る。外科医は、能動的シャッタ眼鏡３６１によって検出されるために、表示デバイス１６０によって放出されたＩＲシャッタ信号に対し、表示デバイス１６０に対向しなければならない。本検出は、安全インターロックの一部として、プレゼンスを確認するために、制御システムに中継され得る。能動的シャッタ眼鏡３６１の使用は、良好な画質および大型の視点を包み込むような表示を提供するが、外科医１０１は、表示デバイス１６０の視程内に留まり、側方頭部運動を回避し、混乱させる歪を最小限にしなければならない。
【００９１】
なおも別の態様では、表示デバイス１６０は、ブーム上に搭載されず、代わりに、頭部搭載表示ユニットである。頭部搭載表示ユニットは、左右眼のための独立画像を表示するビューア接眼部を伴う、２つの小型形状因子ＬＣＤ表示を含む。接眼部は、瞳孔間距離および注視方向の調節を含む、ユーザの眼との最適な整合のために調節可能である。接眼部内の光学は、画像がアームの長さ内において、ビューアの正面に浮遊している印象を与える。頭部搭載表示は、正確な立体的奥行の手がかりを提供し、良好な視認距離を有する。頭部搭載表示はまた、視覚併置およびプレゼンスセンサとしての頭部センサを支持する。使用のために好適な頭部搭載表示の１つは、Ｖｉｓｉｏｎ  Ｓｙｓｔｅｍｓ  Ｇｒｏｕｐ、Ａ  Ｄｉｖｉｓｉｏ  ｏｆ  Ｖｉｋｉｎｇ  Ｓｙｓｔｅｍｓ（１３４  Ｆｌａｎｄｅｒｓ  Ｒｄ．、Ｗｅｓｔｂｏｒｏｕｇｈ、ＭＡ）によって提供される３Ｄ−ＨＤ  Ｐｅｒｓｏｎａｌ  Ｈｅａｄ  Ｄｉｓｐｌａｙである。
【００９２】
別の態様では、頭部搭載表示技術はまた、コンパクト型ブーム搭載表示形状因子としても利用可能である。図３Ｃを参照されたい。本態様では、表示デバイス１６０Ｂは、ロボット患者側カート３０５または独立型カートに直接取着される、ブーム３１０Ａ上に搭載される。本技術は、患者側カートにおいて、外科医によって所望される作業位置の大部分に対応し、頭部センサ３７１およびヘッドレスト３７２を支持する。加えて、接眼部の角度は、ハンド追跡作業空間との視覚の理想的併置を可能にする。矢印３７３は、一実施形態では、６０度だけ水平から下方に角度付けられる、表示デバイス１６０Ｂを使用する外科医の視線を表す。また、本態様では、ハンド追跡送信機１７５は、ブーム３１０Ａによって支持される。
【００９３】
別の態様では、表示デバイス１６０は、特殊眼鏡または立体ビューアを必要としない、自動立体表示であって、したがって、外科医のビューア３６１は使用されない。自動立体的表示は、視認眼鏡を使用する必要なく、各眼に対して、別個の画像を配信する。自動立体表示を生成するために使用される２つの主要技術がある。すなわち、反対側の眼を対象とする光を遮断するためのバリアの使用、または選択された眼に光を向けるためのレンチキュラーレンズの使用である。
【００９４】
視差バリアは、不透明媒体に微細な垂直スリットを有する。バリアは、垂直スリットに提示される左右画像とともに、表示デバイス１６０上の画像の正面に定置される。画像スリットとバリアスリットの頻度が、整合し、外科医１０１が、バリアから要求された距離にいる場合、左右画像は、それぞれ、外科医１０１の左眼と右眼によって見ることができる。偏光眼鏡の必要はない。しかしながら、視認位置の数は限定されており、これは、外科医１０１による患者側位置の選択の自由が限定されることになる。
【００９５】
（モード制御）
患者側外科医インターフェース１５０は、追従モード（スレーブ外科手術器具が、マスタツールグリップの移動に追従する）、マスタクラッチモード（マスタ移動からスレーブ作動を係脱する）、カメラ制御モード（内視鏡の移動を有効化する）、エネルギーツールモード（外科手術エネルギーツール制御を有効化する（例えば、電気焼灼ツール））、カメラフォーカスモード（カメラフォーカス制御を有効化する）、アームスワッピング（種々のマスタおよびスレーブアーム制御の組み合わせを可能にする）、ならびにＴｉｌｅＰｒｏスワッピングモード（外科医の表示内の種々の写真表示の制御を有効化する、例えば、フル画面表示と、外科医が２つ以上の別個の画像またはデータ画面を視認する表示との間のスワッピング）等のシステムモードを制御するためのインターフェースを含む。システムモードを制御するためのインターフェースは、外科医１０１によって、容易にアクセス可能であって、種々の動作モードのオン／オフ作動およびトリガされた起動の両方に対応する。
【００９６】
システムモードを制御するためのインターフェースは、モード制御入力が、相互排他的様式において、複数のユーザによって、マッピングおよび制御されることを可能にする。インターフェースはまた、ユーザ独立マスタクラッチを有効にする。一態様では、インターフェースは、滅菌可能である。システムモードを制御するためのインターフェースは、学習および記憶が容易である。システムモードを制御するためのインターフェースは、意図されないモード起動を最小限にするように構成される。
【００９７】
システムモードを制御するためのインターフェースは、単独であることも、または１つ以上のボタン、センサ、およびフットペダルと組み合わせることもできる。例えば、前述のように、押下されると、マスタクラッチおよびカメラ制御を起動するボタンを、マスタツールグリップ上に含めることができる。同一ボタンのクイックタップは、アームスワップまたはＴｉｌｅＰｒｏスワップをトリガする。通常タップに対する特定の機能性およびクイックタップの特定の機能性が、各ボタンに割り当てられる。
【００９８】
一態様では、システムモードを制御するためのインターフェースは、少なくとも１つのフットペダル４３１を含むフットペダルトレイ４３０（図４Ｃ）を含む。一態様では、フットペダルトレイ４３０は、ｄａ  Ｖｉｎｃｉ（登録商標）  Ｓｕｒｇｉｃａｌ  Ｓｙｓｔｅｍ  Ｍｏｄｅｌ  ＩＳ３０００（米国特許出願第１２／４００，７２６号（２００９年３月９日出願）参照、参照することによって本明細書に組み込まれる）において、エネルギー起動を制御するための従来のフットペダルトレイの右半分に類似する、小型ポッドである。しかしながら、いくつかの態様では、従来のフットペダルトレイのすべてが使用され得る。
【００９９】
（人間工学的支持）
図１Ａおよび１Ｂに例証されるように、患者側外科医インターフェース１５０は、外科医１０１の前腕または肘のためのベンチアームとして機能する、可動人間工学的前腕支持１８０を含む。前腕支持１８０は、マスタツールグリップ１７０、１７０Ａ、１７０Ｂの微細な運動のための安定性を提供する。前腕支持１８０はまた、連携タスクのために、ハンド間の固有感覚関係を維持する。
【０１００】
図４Ａの実施例では、前腕／肘支持１８０Ａは、手術台４０５に取着される。本明細書で使用される場合、前腕／肘支持とは、支持が前腕または肘のいずれかに提供されることができることを意味する。前腕／肘支持１８０Ａは、例えば、矢印４０４によって示されるように、手術台４０５の長さに沿って、矢印４０１によって示されるように、手術台に接近または離間して、および矢印４０２によって示されるように、手術台４０５の表面に対して上下に、複数の次元において可動である。また、本実施例では、前腕／肘１８０Ａ支持は、矢印４０３によって示されるように、その中心の周りを旋回することができる。前腕／肘支持１８０Ａは、外科医１０１が起立または着席のいずれかの間、使用することができる。代替として、前腕／肘支持１８０Ａは、手術台４０５にではなく、ブレーキとともに、可動ブームに取着され得る。可動ブームは、立位または座位使用のために調節することができ、可動ブーム構造は、ブームに対してもたれる外科医の力に耐えられるほど十分に強力である。
【０１０１】
別の実施例では、前腕／肘支持１８０Ｂは、サドルスツール４１０等の可動プラットホーム上に搭載される。図４Ｂに示されるように、サドルスツール４１０は、複数のキャスタ４１５を含み、移動を促進する。そのような支持を伴うサドルスツールの１つは、Ｓａｌｌｉ  Ｓａｄｄｌｅ  Ｓｔｏｏｌ  ｗｉｔｈ  Ｅｌｂｏｗ  Ｒｅｓｔ  ｆｒｏｍ  Ｂａｃｋ  Ｄｅｓｉｇｎｓ，  Ｉｎｃ．（Ｎｏｖａｔｏ、ＣＡ、ＵＳＡ）として利用可能である。サドルスツールの使用は、可動プラットホームの例証にすぎず、本具体的スツールに限定されることを意図するものではない。本開示に照らして、好適な前腕／肘支持は、外科医１０１が快適に着席または別様に支持されることができる、種々の可動プラットホーム上に搭載することができる。
【０１０２】
そのような可動プラットホームによって、外科医１０１は、作業の間、そのプラットホーム上に身を任せ、それによって、体幹筋肉を弛緩させ、人間工学的背骨の整合を保持する。可動プラットホームは、科医の前腕のための中立作業位置と、マスタクラッチモードにおいて人間工学的姿勢に戻るための物理的基準を提供する。本物理的基準は、マスタクラッチモードを使用する際、認知的負荷を低減し、人間工学的姿勢を保持するのに有用である。
【０１０３】
（制御システム）
前述のように、制御システム１９０、１９０Ａ（図１Ａ、１Ｂ、３Ａ、および７）は、種々の機能を果たす。制御システム１９０Ａ（図７）は、動作モードのうちの１つにおける動作と関連付けられた情報と、動作すべきモードを示す情報の両方を受信する。例えば、マスタインターフェース入力／出力モジュール７０２を使用して、制御システム１９０Ａは、感知された空間情報７２１、感知された配向情報７２２、およびグリップ閉合情報７２３、ならびに制御スイッチ７２４（例えば、表示およびマスタツールグリッププレゼンススイッチ）の状態に関する情報を受信する。制御システム１９０Ａはまた、患者側外科医インターフェース（ＰＳＳＩ）１５０からモード制御コマンド７２５を受信する。種々の制御スイッチからの状態情報およびモード制御コマンドに応答して、制御システム１９０Ａによって講じられる措置は、前述されており、したがって、ここでは反復されない。
【０１０４】
制御システム１９０Ａは、プロセッサモジュール７０１内のプロセッサ上で遠隔操作サーボ制御ループモジュール７６０における命令を実行する、遠隔操作サーボ制御システムを使用して、外科医６０１が、スレーブ外科手術器具１１０の先端を効果的に操縦することができるように、制御コマンドを通して、関連付けられたロボットアームに、マスタツールグリップ６７０の運動を変換し、転送する。一態様では、制御コマンドは、配向運動コマンド７３１および空間運動コマンド７３２を含む。遠隔操作サーボ制御システムによって行われる機能は、制御システム１９０Ａに関して以下により完全に説明される特徴と併せて検討される場合、従来の機能に匹敵する。
【０１０５】
図６Ａでは、立体的内視鏡６１２のための従来の内視鏡下視認座標フレーム６１０が例証される。図６Ｂでは、種々の座標フレーム６１０、６２０、および６３０が、一態様において使用される。以下により完全に説明されるように、座標フレーム６１０、６２０、および６３０は、一態様では、マスタツールグリップ６７０の運動を遠隔操作スレーブ外科手術器具の運動に変換するために使用される。
【０１０６】
制御システム１９０Ａは、感知された空間情報７２１、感知された配向情報７２２を、配向運動コマンド７３１および空間運動コマンド７３２に変換する際、一意のマッピングおよび処理を実装し、遠隔操作スレーブ外科手術器具の先端を移動させる。特に、制御システム１９０Ａは、以下により完全に説明されるように、実行に応じて、スレーブ外科手術器具の自立的または意図しない運動を防止する、ラチェッティングシステムモジュール７３０を含む。制御システム１９０Ａはまた、以下により完全に説明されるように、メモリ７８０内に記憶され、プロセッサモジュール７０１内のプロセッサ上で実行される、プロキシ視覚モジュール７５０を含むことができる。
【０１０７】
制御システム１９０Ａの実装の以下の説明は、例証にすぎず、限定されることを意図するものではない。本説明に照らして、当業者は、説明された特徴の任意の所望の組み合わせを選択および実装し、患者側外科医インターフェース１５０を含む、低侵襲遠隔操作外科手術システムの要件に対応することができる。
【０１０８】
滅菌外科手術野内で機械的に固定されていないマスタツールグリップ６７０と３次元表示デバイス６６０の組み合わせは、遠隔操作スレーブ外科手術器具の患者側制御を可能にする際、新しい能力を提供する。前述のように、一態様では、可動３次元表示６６０は、滅菌外科手術野内で作業する外科医６０１によって動かすことができる。制御システム１９０Ａによって、３次元表示デバイス６６０で見られるように、マスタツールグリップ６７０の運動をスレーブ外科手術器具エンドエフェクタ６６１の移動にマッピングするために使用される技法は、従来の低侵襲遠隔操作ロボット外科手術システムから直接転換可能ではない。
【０１０９】
解決すべき問題をより理解するために、滅菌外科手術野内にない、外科医のコンソール１１４（図１Ｂ）に対して、従来の低侵襲遠隔操作ロボット外科手術システムによって使用される従来のマッピング方法を検討することが有用である。外科医のコンソール１１４のための運動マッピング方法は、直感的および人間工学的の両方であるように設計されている。このため、運動マッピングは、視覚とハンド作業空間との併置を利用する。例えば、米国特許第７，１５５，３１５号（２００５年１２月１２日出願「Ｃａｍｅｒａ  Ｒｅｆｅｒｅｎｃｅｄ  Ｃｏｎｔｒｏｌ  ｉｎ  ａ  Ｍｉｎｉｍａｌｌｙ  Ｉｎｖａｓｉｖｅ  Ｓｕｒｇｉｃａｌ  Ａｐｐａｒａｔｕｓ」）（参照することによって、全体として本明細書に組み込まれる）を参照されたい。
【０１１０】
外科医１９５（図１Ｂ）は、外科医のコンソール１１４に向かって着席し、立体ビューアに目を向け、立体内視鏡１１２から３次元画像を見る。３次元画像は、外科医１９５が自身の眼によって直接外科手術野を見ているように現れるように、外科医１９５に視点を包み込むような方法で提示される。立体視覚は、外科医自身の手と眼の作業空間に知覚的に整合するようにスケーリングされる。さらに、立体視覚は、光景が外科医の頭部の主視方向に沿って、奥行に延在するように配向され、頭部は、６０度だけ下方に角度付けられる。
【０１１１】
本設定の結果、外科医の視覚的空間は、外科医がマスタツールマニピュレータを移動させる空間と知覚的に重複する。本構造は、最終的には、遠隔操作スレーブ外科手術器具が外科医自身の手である印象を与える。
【０１１２】
したがって、従来のシステムは、遠隔操作スレーブ外科手術器具を制御するための手と眼の空間の理想的マッピングに対応する。直上で述べたように、内視鏡下ビューで器具をみる時、外科医は、器具が実際に自身の手であるように知覚するのが一般的である。
【０１１３】
（制御システム−体心マッピング）
前述のように、患者側外科医インターフェース１５０によって、表示デバイス６６０は、外科医６０１に対して、可変方向に位置付けおよび配向可能となる。前述の従来の併置マッピングは、外科医６０１が、立体的表示６６０を見る方向に沿って自身の手を移動させて、内視鏡下ビュー方向Ｚｓに沿って、器具を移動させる必要があることを示唆する。このアプローチは、外科医が表示デバイス１６０Ｂを覗き込む、図３Ｃに例証されるもの等の立体的表示デバイスにとっては容認可能である場合があるが、外科医のビューがより水平である表示デバイスの場合、容認可能ではない。
【０１１４】
加えて、外科医６０１は、表示に対して上方および平行に自身の手を移動させて、内視鏡下ビュー内の方向Ｙｓに器具を上方に移動させるであろう。しかしながら、これは、表示デバイス６６０が外科医６０１の正面に直接ない時は、ぎこちなく、非人間工学的運動をもたらす可能性がある。継続的に腕を持ち上げ、表示デバイス６６０に対して上方および内方へ手を移動させる必要があることは、外科医６０１に疲労を与えることになるであろう。
【０１１５】
従来の視覚的空間の使用の試みと関連付けられたこれらの問題を克服するために、外科医６０１が自身の姿勢に対して移動を合わせることを可能にする体心マッピングが適用される。図６Ｂの実施例では、体心座標フレーム６１０は、体心ｚ−座標軸Ｚｂｃ、体心ｘ−座標軸Ｘｂｃ、および体心ｙ−座標軸Ｙｂｃを含む。
【０１１６】
図６Ｂでは、体心ｚ−座標軸Ｚｂｃは、それに沿って、マスタツールグリップ６７０の運動が、外科医６０１の胴体６０１Ｔから離れる、およびそこに向かう、軸である。体心ｘ−座標軸Ｘｂｃは、それに沿って、マスタツールグリップ６７０の運動が、外科医６０１の胴体６０１Ｔに対して、左から右となる、軸である。体心ｙ−座標軸Ｙｂｃは、それに沿って、マスタツールグリップ６７０の運動が、外科医６０１の胴体６０１Ｔに対して、上下となる、軸である。
【０１１７】
表示デバイス６６０上の画像では、内視鏡下ビューｚ−座標軸Ｚｓは、表示６６０上の画像に向かって、およびそこからの内視鏡下ビュー方向に沿った軸である。内視鏡ビューｘ−座標軸Ｘｓは、表示６６０上の画像の右から左に延在する軸である。内視鏡ビューｙ−座標軸Ｙｓは、表示６６０上の画像内の上下に延在する軸である。座標フレーム６１０は、議論を容易にするために、表示６６０上に例証されるが、通常、表示６６０上の画像内に含まれない。一態様では、表示６６０上の画像に対する表示座標フレームは、内視鏡下ビュー座標フレーム６１０と同一である。
【０１１８】
また、表示デバイス６６０上の画像内にあるのは、それに対して、先端座標フレーム６３０が規定される、遠隔操作スレーブ外科手術器具のエンドエフェクタ６６１である。エンドエフェクタ６６１の先端ｚ−座標軸Ｚｔは、表示６６０上の遠隔操作スレーブ外科手術器具の画像の縦軸に沿った軸である。先端ｘ−座標軸Ｘｔおよび先端座標軸Ｙｔは、軸Ｚｔに垂直な平面を規定する。
【０１１９】
便宜上、これが、外科医がその動きを見ている対象であるため、時として、スレーブ外科手術器具先端６６１と称される、スレーブ外科手術器具エンドエフェクタ６６１の画像が、本説明では使用されることに留意されたい。本画像の移動は、遠隔操作スレーブ外科手術器具先端自体の移動に直接対応する。当業者は、本明細書に説明されるように、画像の移動が、制御システム１９０Ａからの制御コマンドに応答した、ロボットアームによる先端自体の移動の直接的結果であることを理解する。
【０１２０】
制御システム１９０Ａは、体心座標フレーム６２０におけるデータおよび外科手術器具先端座標フレーム６３０におけるデータの両方を、時として、共通座標フレームと称される、内視鏡下ビュー座標フレーム６１０にマッピングすることに留意されたい。本マッピングは、マスタツール追跡装置６６０の移動を表示座標フレーム内の外科手術器具先端６６１の移動に変換する際に使用される。
【０１２１】
例えば、着席または起立している時、外科医６０１は、体心ｚ−座標軸Ｚｂｃに沿って、自身の胴体６０１Ｔから離れるようにマスタツールグリップ６７０を移動させ得る。マスタツールグリップ６７０は、本態様では、３次元座標フレーム６１０における運動を感知し、感知された空間情報７２１および感知された配向情報７２２を制御システム１９０Ａに提供する。
【０１２２】
制御システム１９０では、ハンド追跡コントローラ７０４は、感知された情報、例えば、感知された空間情報７２１および感知された配向情報７２２の一方または両方を受信し、新しい空間位置データ（ｘｂｃ、ｙｂｃ、ｚｂｃ）および新しい配向データ（ピッチ、ヨー、ロール）を出力する。一態様では、ハンド追跡コントローラ７０４はまた、ハンド追跡送信機１７５に連結され、送信機１７５によって伝送される視野を制御する。
【０１２３】
空間位置データ（ｘｂｃ、ｙｂｃ、ｚｂｃ）および配向データ（ピッチ、ヨー、ロール）は、内視鏡下ビュー座標フレーム６１０にマッピングされる。新しいマッピングデータおよび内視鏡ビュー座標フレーム６１０内のエンドエフェクタ６６１の現在の位置を使用して、エンドエフェクタ６６１を内視鏡ビュー座標フレーム６１０内の新しい位置に移動させるために必要とされる情報が決定される。本情報は、制御コマンドとして、スレーブ器具に送信される。制御コマンドに応答して、遠隔操作スレーブ外科手術器具は、視鏡下ビュー方向に沿って、先端を移動させ、体心ｚ−座標軸Ｚｂｃに沿うマスタツールグリップ６７０の運動に対応させる。その結果、表示デバイス６６０内のスレーブ器具先端画像６６１は、ｚ−座標Ｚｓに沿って移動する。
【０１２４】
同様に、体心ｙ−座標軸Ｙｂｃに沿って、マスタツールグリップ６７０を上方に移動させることによって、表示デバイス６６０内のスレーブ器具先端画像６６１が、内視鏡ビューｙ−座標軸Ｙｓに沿って、上方に移動し、すなわち、画像が、表示デバイス６６０上の上方に移動するように、スレーブ器具を移動させる。マスタツールグリップ６７０を体心ｘ−座標軸Ｘｂｃに沿って左に移動させることによって、表示デバイス６６０内のスレーブ器具先端画像６６１が、内視鏡ビューｘ−座標軸Ｘｓに沿って、表示を横断して、左に移動するように、スレーブ器具を移動させる。
【０１２５】
このマッピング方法は、外科医６０１の頭部、身体、および腕がすべて、表示座標フレームと整合されているという前提を緩和させる。体心座標フレームの配向は、外科医６０１によって直接管理することができる。これによって、外科医６０１は、マッピングの人間工学を管理するだけではなく、外科医、患者、内視鏡、および内視鏡下表示の配置におけるさらなる柔軟性に対応することが可能となる。
【０１２６】
オプションの１つは、外科医に、ハンド追跡システムによって使用される送信機１７５を配向させる、例えば、回転台３３１（図３Ｂ）を使用して、送信機１７５を回転させることを可能にするものである。別の関連オプションは、測定される運動が、常時、外科医の胴体に相対的となるように、装着式様式として、軽量送信機１７５を外科医に取着するものである。代替は、外科医に、指向または運動ジェスチャーを行わせ、配向フレームを規定することを可能にするものである。
【０１２７】
本発明の一実施形態で使用するために好適な磁気ハンド追跡コントローラ、マスタツールグリップ内で使用するためのセンサ、およびハンド追跡送信機は、Ａｓｃｅｎｓｉｏｎ  Ｔｅｃｈｎｏｌｏｇｙ  Ｃｏｒｐｏｒａｔｉｏｎ（Ｂｕｒｌｉｎｇｔｏｎ、Ｖｅｒｍｏｎｔ、ＵＳＡ）から、３Ｄ  ｇｕｉｄａｎｃｅ  ｔｒａｋＳＴＡＲＴＭ  Ｓｙｓｔｅｍ  ｗｉｔｈ  ａ  Ｍｉｄ−Ｒａｎｇｅ  Ｔｒａｎｓｍｉｓｓｔｅｒとして利用可能である（ｔｒａｋＳＴＡＲＴＭは、Ａｓｃｅｎｓｉｏｎ  Ｔｅｃｈｎｏｌｏｇｙ  Ｃｏｒｐｏｒａｔｉｏｎの商標である）。送信機は、７８センチメートル（３１インチ）として規定される、中距離にわたる高精度追跡のためのパルスＤＣ磁場を発生する。本システムは、各センサに対して２４０から４２０更新／秒を伴う動的追跡を提供する。小型受動センサ出力は、電力線雑音源によって影響を受けない。送信機とセンサとの間の明確な視程は、要求されない。あらゆる姿勢追跡が存在し、慣性ドリフトまたは光学干渉はない。高金属耐性があって、非磁気金属からの歪はない。
【０１２８】
（制御システム−−人間工学的手首配向マッピング）
患者側外科医インターフェース１５０については、表示デバイス１６０は、常時、コンソール立体ビューアのように６０度だけ下方に角度付けられていない。表示デバイス１６０が、３次元画像とマスタツールグリップとの間の従来の構成を再現するように、垂直に配向されすぎる（すなわち、外科医のビューが、表示画面に垂直であって、本質的に、水平である）場合、外科医１０１は、図５Ａに描写されるように、快適ではない姿勢へと、自身の手首５１５Ａ、５１５Ｂを後方に屈曲させるか、または別様に前腕を快適ではない姿勢に保持する必要があるであろう。そのような位置において、スレーブ外科手術器具を操作することは可能であるが、外科医１０１は、人間工学的に望ましくない不自然な位置を見つけることになるであろう。
【０１２９】
その結果、一態様では、固定された回転オフセットが、体心座標フレームにおける手首配向運動をマッピングするために使用される。具体的には、制御システム１９０Ａ（図７）内のサーボ制御ループによって受信されるマスタツールグリップ１７０Ａ、１７０Ｂから感知された配向データは、固定されたオフセットによって回転される。これは、座標フレーム６２０Ｒによって、図６Ｂに表される。−４５度から−３０度の範囲内に固定されたオフセットは、この人間工学的問題を緩和する際、依然として、直感的制御を保持しながら、良好に作用するように示されている。この固定された回転オフセットの使用によって可能となる、改善された人間工学的姿勢５１５Ａ１、５１５Ｂ１は、図５Ｂに例証される。
【０１３０】
本マッピング態様の擬人化性質は、手首制御が、システム設計の機械的および視覚的構成要素だけに基づく、絶対的１対１のマッピングに、もはやマッピングされないことである。マッピングは、代わりに、ヒトユーザのより快適な手首の運動範囲に対応するように修正される。
【０１３１】
（制御システム−ラチェッティングシステム）
従来の低侵襲遠隔操作外科手術システムは、突然の望ましくないスレーブ運動を生じさせることなく、追従モードに入ることができるように、マスタツールグリップおよびスレーブ外科手術器具エンドエフェクタの配向が位置付けられるまで、外科医が待機することを要求していた。しかしながら、制御システム１９０Ａでは、遠隔操作サーボ制御ループモジュール７６０内のラチェッティングシステムモジュール７３０（図７）が、外科医１０１がマスタツールグリップ１７０の移動を開始すると、起動され、例えば、プロセッサモジュール７０１上で実行される。ラチェッティングシステムモジュール７３０ならびにモジュール７６０は、メモリ７８０内に格納される。マスタツールグリップ１７０とスレーブ外科手術器具１１０のエンドエフェクタとの間の配向誤差に関係なく、遠隔操作サーボ制御ループシステムは、マスタツールグリップ１７０と、外科手術器具エンドエフェクタ（時として、スレーブ外科手術器具先端６６１と呼ばれる）との間の追従モードに入る。
【０１３２】
ラチェッティングシステムモジュール７３０は、マスタツールグリップ１７０が移動されるのに伴って、スレーブ外科手術器具先端に対するマスタツールグリップ１７０の配向をシームレスかつ継続的に改善する。ラチェッティングシステムモジュール７３０は、スレーブ外科手術器具先端の配向をラチェッティングし、スレーブ外科手術器具先端とマスタツールグリップ１７０との間のいかなる配向誤差も継続的かつシームレスに低減させる。スレーブ配向に向かうマスタツールグリップ移動は、マスタ／スレーブマッピングを改善するために使用されるが、スレーブ配向から離れるマスタツールグリップ移動は、使用されず、したがって、マスタ／スレーブ整合は、外科医が経験する可能性がある適切な直感的関係に向かって継続的にラチェッティングされる。ラチェッティングシステムモジュール７３０の実行は、マスタツールグリップ１７０、スレーブ外科手術器具先端のいずれの自律運動も伴わずに、配向整合を達成する。
【０１３３】
ラチェッティングシステムモジュール７３０の実行は、表示デバイス１６０内で外科医１０１によって視認される、マスタツールグリップ１７０とスレーブ外科手術器具先端との間の直感的配向整合をもたらす。また、ラチェッティングシステムモジュール７３０は、外科医１０１が行っていること（マスタツールグリップ１７０の操縦）と外科医１０１が表示デバイス１６０上で見ているもの（表示デバイス１６０内のスレーブ外科手術器具先端の移動）との間の直接的関連付けを提供する。そのようなラチェッティングの一実施例は、同時係属中の共有に係る米国特許出願第１２／４９５，２１３号（２００９年６月３０日出願「Ｒａｔｃｈｅｔｉｎｇ  ｆｏｒ  Ｍａｓｔｅｒ  Ａｌｉｇｎｍｅｎｔ  ｏｆ  ａ  Ｔｅｌｅｏｐｅｒａｔｅｄ  Ｍｉｎｉｍａｌｌｙ−Ｉｎｖａｓｉｖｅ  Ｓｕｒｇｉｃａｌ  Ｉｎｓｔｒｕｍｅｎｔ」）により詳細に説明されており、参照することによって、全体として本明細書に組み込まれる。
【０１３４】
（制御システム−プロキシ視覚システム）
前述のように、プロキシ視覚は、外科医によって、別の外科医を監督するために使用することができる。本実施例では、外科医１９５（図１Ｂ）は、患者側外科医インターフェース１５０を使用して、外科医１０１によって監督される。しかしながら、本構成は、例証にすぎない。例えば、外科医１０１は、マスタツールグリップ１７０Ａ（図２）を使用して、プロキシ視覚を制御する一方、外科医１９５は、マスタツールグリップ１７０Ｂを使用して、遠隔操作スレーブ外科手術器具１１０を制御し得る。任意のマスタツールグリップがプロキシ視覚に割り当てられることができ、外科医は、そのマスタツールグリップを使用して、異なるマスタツールグリップを使用する別の外科医を監督することができる。患者側外科医インターフェース１５０は、第２の外科医のコンソールまたは第１の外科医のコンソールさえ必要とすることなく、そのような監督を促進する。
【０１３５】
監督を促進するために、プロキシ視覚モジュール７５０は、一態様では、視覚処理サブシステムの一部として処理される。モジュールは、マスタツールグリップの位置および配向を受信し、内視鏡下カメラ画像と合成された立体画像をリアルタイムにレンダリングし、外科医コンソール、アシスタント表示、および患者側外科医インターフェース表示１６０上に表示する。外科医１０１が、所定の措置を講じることによって、監督を開始すると、プロキシ視覚システムループが起動され、例えば、モジュール７５０が、プロセッサモジュール７０１上で実行される。所定の措置として使用される特定の措置は、制御システム１９０Ａがその措置を認識するように構成される限り、必須ではない。
【０１３６】
一態様では、プロキシ視覚は、マスタツールグリップ１７０によって制御される仮想ゴースト器具８１１（図８）である一方、遠隔操作スレーブ外科手術器具８１０は、外科医のコンソール１１４のマスタツールマニピュレータのうちの１つによって制御される。外科医１０１は、表示デバイス１６０内で器具８１０および８１１を見る一方、外科医１９５は、外科医のコンソール１１４の立体的表示内で８１０および８１１を見る。プロキシ視覚としての仮想ゴースト器具８１１の使用は、例証にすぎず、本特定の画像に限定されることを意図するものではない。本開示に照らして、他の画像は、プロキシ視覚を表す画像と遠隔操作スレーブ外科手術器具の実際のエンドエフェクタの画像との間の区別を促進する、プロキシ視覚のために使用することができる。
【０１３７】
仮想ゴースト器具８１１は、実際の器具８１０に類似して見えるが、仮想ゴースト器具８１１は、仮想ゴースト器具８１１を実際の器具８１０と明確に区別するように表示される（例えば、透明または半透明ゴースト状画像、別個に着色された画像等）。仮想ゴースト器具８１１の制御および操作は、実際の遠隔操作外科手術器具に対して前述のものと同一である。したがって、外科医１０１は、マスタツールグリップ１７０を使用して、仮想ゴースト器具８１１を操縦し、遠隔操作スレーブ外科手術器具８１０の適切な使用を実演することができる。外科医１９５は、器具８１０によって、仮想ゴースト器具８１１の運動を模倣することができる。
【０１３８】
仮想ゴースト器具は、共有に係る米国特許出願公開第ＵＳ２００９／０１９２５２３  Ａ１号（２００９年３月３１日出願の「Ｓｙｎｔｈｅｔｉｃ  Ｒｅｐｒｅｓｅｎｔａｔｉｏｎ  ｏｆ  ａ  Ｓｕｒｇｉｃａｌ  Ｉｎｓｔｒｕｍｅｎｔ」）により完全に説明されており、参照することによって、全体として本明細書に組み込まれる。
【０１３９】
（制御システム−プロセスフロー）
図９は、可動表示デバイス１６０、マスタツールグリップ１７０、ハンド追跡送信機１７５、および遠隔操作スレーブ外科手術器具１１０を含む、低侵襲外科手術システム１００において、制御システム１９０、１９０Ａに実装される方法９００の一態様のためのプロセスフロー図である。新しく感知されたマスタ運動データの受信動作９０１では、新しく感知された空間データ、新しく感知された配向データ、または両方が、制御システム１９０によって受信される。動作９０１は、処理を安全インターロックチェック動作９０２に移行する。
【０１４０】
安全インターロックチェック動作９０２は、安全インターロックの状態が、少なくとも１つのマスタツールグリップとスレーブ外科手術器具との間の追従モード動作が許可されていることを示すかどうかを決定する。前述の種々のインターロックに加え、別の安全インターロックは、外科医が、追従モードを開始する前に、制御される器具先端の知覚された配向にほぼ整合するように、マスタグリップを配向しなければならないことである。４５度の全体的配向不整合許容誤差が、良好に作用することが分かっている。本許容誤差設定は、追従が開始する際、依然として、直感的整合をもたらしながら、外科医が確実に整合させるために十分に緩いものである。ラチェッティングシステムモジュール７３０を使用した追従にある間、残留不整合は、低減される。グリップ閉合もまた、追従モードに入る前に、マスタとスレーブ器具先端との間の許容誤差内で整合されなければならない。
【０１４１】
例えば、前述のプレゼンススイッチのうちのいずれか１つが、プレゼンスを示さないか、表示デバイス１６０が移動されていることの指標が受信されるか、または可能性として、追従モードインターロックが正しくない場合、安全インターロックチェック動作９０２は失敗し、追従モードが許可されていないことを意味する。したがって、チェック動作９０２は、受信した新しいデータを保存する、感知されたマスタツールグリップデータの保存動作９０３に移行され、処理は、本実施例では、動作９０１に戻る。
【０１４２】
安全インターロックの状態が、外科医１０１を含む、システム１００が、追従モード動作のために必要とされる状態にあることを示す場合、安全インターロックチェック動作９０２は、処理をシステム追従モードチェック動作９０４に移行する。システム１００が、追従モードに入る場合、または追従モードにある場合、チェック動作９０４は、共通基準フレームへのマッピング動作９０５か、そうでなければ感知されたマスタツールグリップデータの保存動作９０３に移行する。
【０１４３】
共通基準フレームへのマッピング動作９０５は、受信した新しく感知されたデータを共通基準フレームにマッピングする。例えば、体心座標フレームが使用される場合、体心座標フレームで感知されたデータは、前述のように、内視鏡下ビュー座標フレームにマッピングされる。また、体心座標フレームに対する固定された回転オフセットは、一態様では、マッピングに先立って、動作９０５で実装される。加えて、一態様では、４：１のスケール係数が、体心座標フレーム６２０内の運動と内視鏡ビュー座標フレーム６１０内の運動との間で使用される。
【０１４４】
動作９０５が完了すると、ラッチェッティング動作９０６が、新しい配向データを処理し、新しいスレーブ空間位置の生成動作９１０が、新しい位置データを処理する。ラッチェッティング動作９０６は、メモリ７８０内のスレーブ配向記憶素子７７０内に格納された現在のスレーブ配向である、保存されたスレーブ配向９０７と、新しい配向データとを使用して、新しい相対的回転行列を生成し、次いで、新しいスレーブ配向の生成動作９０８に移行する。
【０１４５】
新しいスレーブ配向の生成動作９０８は、新しい相対的回転行列を使用して、新しいスレーブ配向を生成し、処理をスレーブ配向コマンド送信動作９０９に移行する。新しいスレーブ配向を使用して、動作９０９は、スレーブ入力／出力（Ｉ／Ｏ）モジュール７０３を介して、スレーブ配向およびコマンド化された角速度を含むコマンドを、基準共通フレームにおいて送信し、そのコマンドによって指示されるようなスレーブ外科手術器具先端の移動をもたらす。動作９０９が完了すると、本実施例では、動作９０１に戻る。
【０１４６】
外科医１０１が、マスタツールグリップ１７０とスレーブ外科手術器具１１０の先端との間の配向誤差を低減させるように、マスタツールグリップ１７０を移動させる時、配向ラチェッティングプロセスは、外科医がどのようにマスタツールグリップ１７０を把持したか、ロール継手限界に達したかどうかを考慮しながら、マスタツールグリップ１７０とスレーブ外科手術器具１１０の先端との間の追従において、低減された配向誤差を使用する。反対に、外科医１０１が、マスタツールグリップ１７０とスレーブ外科手術器具１１０の先端との間の配向誤差を増加させるように、マスタツールグリップ１７０を移動させる時、配向ラチェッティングプロセスは、マスタツールグリップ１７０とスレーブ外科手術器具先端１１０の先端との間の追従モードにおいて、増加した配向誤差ではなく、現在の配向誤差を使用する。
【０１４７】
動作９０６から９０９は、同時係属中の共有に係る米国特許出願第１２／４９５，２１３号により完全に説明されており、参照することによって本明細書の前述に組み込まれている。
【０１４８】
配向ラチェッティングプロセスは、スレーブ外科手術器具１１０の先端に対して、マスタツールグリップ１７０の絶対的配向をシームレスかつ継続的に改善する。配向ラチェッティングプロセスは、マスタツールグリップ１７０、スレーブ外科手術器具１１０の先端のいずれの自律運動も伴わずに、絶対的配向における継続的改善を達成する。
【０１４９】
新しいスレーブ空間位置の生成動作９１０は、動作９０５からの共通座標フレームにおけるマスタツールグリップ６７０の新しい空間位置データと、共通座標フレームにおいて保存された現在のスレーブ外科手術器具空間位置９１１を使用して、共通基準フレームにおけるエンドエフェクタ６６１のための新しいスレーブ空間位置を決定する。新しいスレーブ空間位置を使用して、スレーブ空間位置コマンド送信動作９１２は、スレーブ空間位置およびコマンド化された速度を含むコマンドを、基準共通フレームにおいて、スレーブ入力／出力（Ｉ／Ｏ）モジュール７０３を介して送信し、そのコマンドによって指示されるスレーブ外科手術器具先端の移動をもたらす。
【０１５０】
制御システム１９０、１９０Ａとして説明されるが、制御システム１９０、１９０Ａは、実際は、ハードウェア、プロセッサ上で実行されるソフトウェア、およびファームウェアの任意の組み合わせによって実装され得ることを理解されたい。また、本明細書に説明されるその機能は、１つのユニットによって行われても、または異なる構成要素間で分割されてもよく、そのそれぞれは、順に、ハードウェア、プロセッサ上で実行されるソフトウェア、およびファームウェアの任意の組み合わせによって実装され得る。異なる構成要素間で分割される場合、構成要素は、１つの場所に集約されてもよく、または分散処理目的のために、システム１００にわたって分散され得る。
【０１５１】
本発明の態様および実施形態を例示する前述の説明および添付の図面は、限定として見なされるべきではなく、請求項は保護された発明を定義する。様々な機械的、構成的、構造的、電気的、および操作上の変更は、本説明の精神および範囲ならびに請求項から逸脱することなく、行い得る。いくつかの例において、よく知られている回路、構造、および技術は、本発明を曖昧にするのを避けるため、詳細に図示または説明されなかった。
【０１５２】
さらに、本説明の用語は、本発明を限定することを意図しない。例えば、空間的に関連する用語、例えば、「ｂｅｎｅａｔｈ（下）」、「ｂｅｌｏｗ（下）」、「ｌｏｗｅｒ（下位）」、「ａｂｏｖｅ（上）」、「ｕｐｐｅｒ（上位）」、「ｐｒｏｘｉｍａｌ（近位）」、「ｄｉｓｔａｌ（遠位）」等を使用して、図面に例示されるように、１つの素子または特徴に対する別の素子または特徴の関係を説明し得る。これらの空間的に関連する用語は、図面に示される位置および配向に加えて、使用または操作しているデバイスの異なる位置および配向を包含する。例えば、図面のデバイスが回転される場合、他の素子または特徴の「下（ｂｅｌｏｗまたはｂｅｎｅａｔｈ）」にあるとして記述される素子は、他の素子または特徴の「上（ａｂｏｖｅまたはｏｖｅｒ）」にある。したがって、典型的な用語「ｂｅｌｏｗ」は、上および下の両方の位置および配向を包含することができる。デバイスは、その他に配向されてもよく（９０度回転されるか、または他の配向）、本明細書に使用される空間的に関連する記述子は、それに従って解釈される。同様に、様々な軸に沿っておよび軸を中心とする運動の記述は、様々な特別のデバイス位置および配向を含む。
【０１５３】
「ａ」、「ａｎ」、および「ｔｈｅ」という単数形は、文脈上他に指定のない限り、複数形も同様に含むことを意図する。「含む（ｃｏｍｐｒｉｓｅｓ、ｃｏｍｐｒｉｓｉｎｇ、ｉｎｃｌｕｄｅｓ等）」という用語は、規定された特徴、ステップ、操作、プロセス、素子、および／または構成要素を特定するが、１つまたは複数の他の特徴、ステップ、操作、プロセス、素子、構成要素、および／または群の存在または追加を除外しない。
【０１５４】
すべての実施例および例示的参照は、非限定であり、本明細書に記載される特定の実装および実施形態ならびにそれらに相当するものに請求項を限定するために使用されてはならない。見出しは単に書式設定のためであり、１つの見出し下のテキストは、１つまたは複数の見出し下のテキストを相互参照または適用し得るため、いかなる方法においても対象の事項を限定するために使用されてはならない。最後に、本開示に照らして、一態様または実施形態に関連して説明される特定の特徴は、具体的に図面に示されないか、またはテキストに記載されない場合であっても、本発明の他の開示される態様または実施形態に適用され得る。
【０１５５】
メモリ７８０は、統合構造として例証されるが、これは、すべてのメモリが同一物理的場所にあることを要求するものとして解釈されるべきではない。メモリの全部また一部は、プロセッサと異なる物理的場所にあることができる。メモリは、揮発性メモリ、非揮発性メモリ、またはその２つの任意の組み合わせを指す。
【０１５６】
プロセッサは、プロセッサによって実行される命令を含有するメモリに連結される。これは、コンピュータシステム内において、あるいは代替として、モデムおよびアナログ回線またはデジタルインターフェースおよびデジタル搬送ラインを経由して、別のコンピュータへの接続を介して、達成され得る。
【０１５７】
ここでは、コンピュータプログラム製品は、方法９００の任意の部分または全部のために必要されるコンピュータ可読モードを格納するように構成される、またはその中に、方法９００の任意の部分または全部のためのコンピュータ可読コードが格納される、コンピュータ可読媒体を備える。コンピュータプログラム製品のいくつかの実施例は、ＣＤ−ＲＯＭディスク、ＤＶＤディスク、フラッシュメモリ、ＲＯＭカード、フロッピー（登録商標）ディスク、磁気テープ、コンピュータハードドライブ、ネットワーク上のサーバ、およびコンピュータ可読プログラムコードを表すネットワークを介して伝送される信号である。有形コンピュータプログラム製品は、方法９００の任意の部分または全部のためのコンピュータ可読命令を格納するように構成される、またはその中に、方法９００の任意の部分または全部のためのコンピュータ可読命令が格納される、有形コンピュータ可読媒体を備える。有形コンピュータプログラム製品は、ＣＤ−ＲＯＭディスク、ＤＶＤディスク、フラッシュメモリ、ＲＯＭカード、フロッピー（登録商標）ディスク、磁気テープ、コンピュータハードドライブ、および他の物理的記憶媒体である。
【０１５８】
本開示に照らして、方法９００の任意の部分または全部において使用される命令は、ユーザに関心のあるオペレーティングシステムおよびコンピュータプログラミング言語を使用して、種々のコンピュータシステム構成において実装することができる。
【０１５９】
さらに、種々の異なる低侵襲システムおよび方法は、本開示に照らして実装することができる。
【０１６０】
一態様では、低侵襲外科手術システムは、
患者側外科医インターフェースであって、
ａ）手術室内に搭載された表示デバイスと、
ｂ）マスタインターフェースであって、
手術室内に位置付けられた機械的に固定されていないマスタツールグリップと、
機械的に固定されていないマスタツールグリップから分離および隔てられたハンド追跡送信機であって、機械的に固定されていないマスタツールグリップは、ハンド追跡送信機と共同して、機械的に固定されていないマスタツールグリップを操作する人物と関連付けられた基準フレームで感知された位置および配向情報を提供する、ハンド追跡送信機と、
を含む、マスタインターフェースと
を備えている患者側外科医インターフェースと、
外科手術エンドエフェクタを備えている、遠隔操作スレーブ外科手術器具と、
機械的に固定されていないマスタツールグリップ、ハンド追跡送信機、表示デバイス、および遠隔操作スレーブ外科手術器具に連結された制御システムと、
を含み、前記制御システムは、基準フレーム内で感知された位置および配向情報を受信し、感知された位置および配向情報を使用して、制御コマンドを生成し、制御コマンドを送信し、表示デバイス上に表示された画像と関連付けられた基準フレームに対して、外科手術エンドエフェクタを移動させる。
【０１６１】
本低侵襲外科手術システムはまた、制御ハンドルを含む、手動操作外科手術デバイスを含み、制御ハンドルは、機械的に固定されていないマスタツールグリップを操作する人物がまた、手動操作外科手術デバイスの制御ハンドルも操作するように、位置付けられる。
【０１６２】
別の態様では、本低侵襲外科手術システムを使用する方法は、
機械的に固定されていないマスタツールグリップを移動させることによって、感知された位置および配向情報を生成することであって、
感知された位置および配向情報は、機械的に固定されていないマスタツールグリップを操作する人物と関連付けられた基準フレームにおけるものである、ことと、
感知された位置および配向情報に基づいて、低侵襲遠隔操作スレーブ外科手術器具のエンドエフェクタの移動を制御することと、
を含む。
【図３Ｂ】
2013510671.tif 000003
【図４Ａ】
2013510671.tif 000004
【図４Ｂ】
2013510671.tif 000005
【図６Ａ】
2013510671.tif 000006
【図６Ｂ】
2013510671.tif 000007
【図８】
2013510671.tif 000008
【図１Ａ】
2013510671.tif 000009
【図１Ｂ】
2013510671.tif 000010
【図２Ａ】
2013510671.tif 000011
【図２Ｂ】
2013510671.tif 000012
【図２Ｃ】
2013510671.tif 000013
【図３Ａ】
2013510671.tif 000014
【図３Ｃ】
2013510671.tif 000015
【図４Ｃ】
2013510671.tif 000016
【図５Ａ】
2013510671.tif 000017
【図５Ｂ】
2013510671.tif 000018
【図７】
2013510671.tif 000019
【図９】
2013510671.tif 000020
【国際調査報告】
2013510671.tif 000021
2013510671.tif 000022
2013510671.tif 000023
2013510671.tif 000024
2013510671.tif 000025